(57)【特許請求の範囲】
【請求項１】
ソフトウェアにより定義されるネットワーク（ＳＤＮ）のマネージメントオーソリティのための装置であって、
回路と、
無線装置の間の１以上のアドホックワイヤレスローカルアクセスネットワーク（ＷＬＡＮ）接続を有するメッシュネットワークにおいて一緒に接続される無線装置から遠隔測定データを受信するよう前記回路により実行される受信コンポーネントであって、前記メッシュネットワークは前記無線装置の少なくとも１つを介し前記マネージメントオーソリティに接続される、受信コンポーネントと、
前記遠隔測定データに少なくとも部分的に基づき前記１以上のアドホックＷＬＡＮ接続を介した１以上のパスを規定するためのルーティングテーブルを生成するよう前記回路により実行されるテーブルコンポーネントと、
前記メッシュネットワーク内でデータをルーティングするため、又は前記メッシュネットワークに接続される第１ネットワークにデータをルーティングするため利用される前記ルーティングテーブルを前記メッシュネットワークに接続される少なくとも１つの無線装置に送信するよう前記回路により実行される送信コンポーネントと、
を有し、
前記ルーティングテーブルは、前記遠隔測定データにおける位置情報に基づき、有意な信号干渉を有すると予想される高密度に無線装置を有するエリアを迂回するよう１以上のパスを規定する装置。
【請求項２】
前記遠隔測定データは、前記無線装置の何れが前記第１ネットワークに接続しているか、又は前記マネージメントオーソリティに接続しているかの通知、前記無線装置の移動情報のレート及び方向、又は前記無線装置の電源若しくはバッテリ情報の少なくとも１つを含む、請求項１記載の装置。
【請求項３】
前記遠隔測定データは、前記メッシュネットワークの内部又は外部にデータをルーティングするために前記無線装置のそれぞれにより利用される各自の処理ワークロードを含む、請求項１記載の装置。
【請求項４】
前記テーブルコンポーネントは更に、前記メッシュネットワークの内部又は外部にデータをルーティングするために前記無線装置のそれぞれにより利用される前記各自の処理ワークロードを前記テーブルコンポーネントがバランスさせることを含む公平性スキームに基づき前記ルーティングテーブルを生成する、請求項３記載の装置。
【請求項５】
前記各自の処理ワークロードをバランスさせることは、データをルーティングするため不均衡な処理電力量を利用する必要がある一部の無線装置を有することを回避することによってバランスさせることを含む、請求項４記載の装置。
【請求項６】
前記遠隔測定データは、前記無線装置の物理的位置を含む、請求項１記載の装置。
【請求項７】
前記テーブルコンポーネントは更に、前記無線装置の物理的位置の物理的な地形特性を示す情報に基づき前記ルーティングテーブルを生成する、請求項６記載の装置。
【請求項８】
前記テーブルコンポーネントは更に、ネットワークアップリンク接続を介し前記第１ネットワーク又は前記ＳＤＮに接続される無線装置からの１以上の無線装置の物理的位置に基づき前記ルーティングテーブルを生成する、請求項７記載の装置。
【請求項９】
前記遠隔測定データは、前記無線装置のそれぞれの各自のＱｏＳ（Ｑｕａｌｉｔｙ  ｏｆ  Ｓｅｒｖｉｃｅ）保証を含む、請求項１記載の装置。
【請求項１０】
前記遠隔測定データは、前記無線装置のそれぞれの各自のＱｏＳ保証を含み、
当該装置は更に、前記無線装置のそれぞれの各自のＱｏＳ保証を充足することを実現するため、前記無線装置の間の時間を同期させるよう前記回路により実行される同期コンポーネントを有する、請求項９記載の装置。
【請求項１１】
前記マネージメントオーソリティは、前記ＳＤＮのサーバに配置され、
前記マネージメントオーソリティは、前記ルーティングテーブルの生成を介し前記メッシュネットワークの制御プレーンを提供可能である、請求項１記載の装置。
【請求項１２】
前記マネージメントオーソリティはまた、各無線装置が前記メッシュネットワーク又は前記ＳＤＮにアクセスするための中央認証検証制御又は前記メッシュネットワークを介しルーティングされるデータのウイルススキャニングを含む１以上のマネージメント機能を介し前記制御プレーンを提供可能である、請求項１１記載の装置。
【請求項１３】
ソフトウェアにより定義されるネットワーク（ＳＤＮ）のマネージメントオーソリティにおいて実現される方法であって、
前記マネージメントオーソリティが、無線装置の間の１以上のアドホックワイヤレスローカルアクセスネットワーク（ＷＬＡＮ）接続を有するメッシュネットワークにおいて一緒に接続される無線装置から遠隔測定データを受信するステップであって、前記メッシュネットワークは前記無線装置の少なくとも１つを介し前記マネージメントオーソリティに接続される、受信するステップと、
前記遠隔測定データに少なくとも部分的に基づき前記１以上のアドホックＷＬＡＮ接続を介した１以上のパスを規定するためのルーティングテーブルを生成するステップと、
前記メッシュネットワーク内でデータをルーティングするため、又は前記メッシュネットワークに接続される第１ネットワークにデータをルーティングするため利用される前記ルーティングテーブルを前記メッシュネットワークに接続される少なくとも１つの無線装置に送信するステップと、
を有し、
前記ルーティングテーブルは、前記遠隔測定データにおける位置情報に基づき、有意な信号干渉を有すると予想される高密度に無線装置を有するエリアを迂回するよう１以上のパスを規定する方法。
【請求項１４】
前記無線装置から受信した前記遠隔測定データの頻度及びコンテンツを決定する１以上のネゴシエートされたセッションパラメータに従って前記遠隔測定データを受信するステップを有する、請求項１３記載の方法。
【請求項１５】
無線装置が、前記無線装置から受信した遠隔測定データに基づき前記ルーティングテーブルを生成する前に、前記マネージメントオーソリティとのサービス合意を有しているか検証するステップと、
前記マネージメントオーソリティとのサービス合意を有する所与の無線装置の識別情報に一致した前記無線装置の識別情報を認証するステップと、
前記サービス合意の検証と前記無線装置の認証とに基づき、前記無線装置からの遠隔測定データによって前記ルーティングテーブルを生成するステップと、
を有する、請求項１３記載の方法。
【請求項１６】
無線装置からサービスに対するリクエストを受信するステップと、
前記無線装置から受信した遠隔測定データの少なくとも一部に基づき前記リクエストを実現するステップと、
を有する、請求項１３記載の方法。
【請求項１７】
前記遠隔測定データは、前記無線装置の物理的位置を含み、
前記サービスは、前記無線装置のバッテリを充電するための充電位置、前記無線装置が所与の物理的位置に到達するため移動する表面ルート、又は前記無線装置の物理的位置の最も近くにある駐車場の物理的位置の特定を含む、請求項１６記載の方法。
【請求項１８】
前記メッシュネットワークにおいて一緒に接続される無線装置から更新された遠隔測定データを受信するステップと、
前記更新された遠隔測定データに基づき更新されたルーティングテーブルを生成するステップと、
前記メッシュネットワーク内でデータをルーティングするため、又は前記メッシュネットワークに接続される第１ネットワークにデータをルーティングするため利用される前記更新されたルーティングテーブルを前記メッシュネットワークに接続される少なくとも１つの無線装置に送信するステップと、
を有する、請求項１３記載の方法。
【請求項１９】
請求項１３乃至１８何れか一項記載の方法をコンピュータに実行させるためのプログラム。
【請求項２０】
請求項１９記載のプログラムを記憶するためのコンピュータ可読記憶媒体。
【請求項２１】
第１無線装置のための装置であって、
前記第１無線装置の回路において、第２無線装置との第１アドホックワイヤレスローカルアクセスネットワーク（ＷＬＡＮ）接続を確立し、第２アドホックＷＬＡＮ接続を介し前記第２無線装置に接続される第３無線装置を少なくとも有するメッシュネットワークに接続する手段と、
前記第１無線装置、前記第２無線装置又は前記第３無線装置の少なくとも１つを介し前記メッシュネットワークに接続されるソフトウェアにより定義されるネットワーク（ＳＤＮ）のマネージメントオーソリティに遠隔測定データを通信するためのアドレス情報を受信する手段と、
ネゴシエートされたセッションパラメータに基づき前記マネージメントオーソリティに遠隔測定データを送信する手段と、
前記マネージメントオーソリティにより生成されるルーティングテーブルを受信する手段であって、前記ルーティングテーブルは、前記遠隔測定データに少なくとも部分的に基づき、前記メッシュネットワーク内でデータをルーティングするか、又は前記第１、第２又は第３無線装置を介し前記メッシュネットワークに接続される第１ネットワークにデータをルーティングするため前記第１無線装置により利用される、受信する手段と、
を有し、
前記ルーティングテーブルは、前記遠隔測定データにおける位置情報に基づき、有意な信号干渉を有すると予想される高密度に無線装置を有するエリアを迂回するよう１以上のパスを規定する装置。
【請求項２２】
前記ネゴシエートされたセッションパラメータは、前記遠隔測定データを送信する頻度及び前記遠隔測定データのコンテンツを含む、請求項２１記載の装置。
【請求項２３】
前記遠隔測定データのコンテンツは、前記第１無線装置の物理的位置、前記第１無線装置が前記第１ネットワーク又は前記ＳＤＮに接続しているかの通知、前記第１無線装置の移動情報のレート及び方向、前記第１無線装置の電源若しくはバッテリ情報、前記メッシュネットワークの内部若しくは外部にデータをルーティングするため前記無線装置のそれぞれにより利用される処理ワークロード、又は前記メッシュネットワークの内部若しくは外部にデータをルーティングするため前記第１無線装置のＱｏＳ（Ｑｕａｌｉｔｙ  ｏｆ  Ｓｅｒｖｉｃｅ）保証の少なくとも１つを含む、請求項２２記載の装置。
【請求項２４】
前記マネージメントオーソリティにより提供されるサービスに対するサービスリクエストを送信する手段と、
前記第１無線装置により前記マネージメントオーソリティに送信された遠隔測定データの少なくとも一部に基づき前記サービスリクエストに対するレスポンスを受信する手段と、
を有する、請求項２１記載の装置。
【請求項２５】
前記遠隔測定データは、前記第１無線装置の物理的位置を含み、
前記マネージメントオーソリティにより提供されるサービスは、前記第１無線装置のバッテリを充電するための充電位置、前記第１無線装置が所与の物理的位置に到達するため移動する表面ルート、又は前記第１無線装置の位置の最も近くにある駐車場の物理的位置の特定を含む、請求項２４記載の装置。
【発明の詳細な説明】
【技術分野】
【０００１】
ここに記載される具体例は、一般にメッシュネットワークにおける無線通信装置に関する。
【背景技術】
【０００２】
モバイルアドホックネットワーク（ＭＡＮＥＴ）は、メッシュネットワークを形成するために無線アドホック接続を介し一緒に接続された複数の無線装置を有してもよい。メッシュネットワークの一部として、各無線装置はメッシュネットワークのエンドポイントとして機能しうる。ＭＡＮＥＴは、アドホックワイヤレスローカルアクセスネットワーク（ＷＬＡＮ）接続を用いてＷｉ−ＦｉＴＭなどの無線技術を介し相互接続された自己構成するインフラストラクチャレスメッシュネットワークでありうる。有用又は効果的なＭＡＮＥＴを構築することは、メッシュネットワーク内に含まれる無線装置間と共に、他の外部ネットワークの装置との効率的な通信リンク又は接続を維持することに依存しうる。メッシュネットワークに含まれる無線装置の少なくとも一部のモビリティは、メッシュネットワークを介したエンドポイント間のパスを各移動によって変化させうるダイナミックトポロジーを生じさせうる。各無線装置はエンドポイントとして機能するため、各無線装置は、メッシュネットワークの他の無線装置又は他の外部ネットワークの装置にデータ及び／又は通信をルーティングするため、これらの移動を認識する必要がある。
【０００３】
メッシュネットワークを介し通信及び／又はデータをルーティングするためのアドホックルーティングプロトコルは、メッシュネットワークの無線装置の１以上に対して高い計算、ネットワーク帯域幅又はアプリケーションメッセージ遅延の負担を与えうる。メッシュネットワークに含まれる無線装置のモビリティは、当該モビリティがメッシュネットワークのトポロジーを常に変化させるため、これらの負担を増大させる。
【図面の簡単な説明】
【０００４】
【図１】図１は、第１システムの具体例を示す。
【図２】図２は、第２システムの具体例を示す。
【図３】図３は、一例となる遠隔測定データを示す。
【図４】図４は、ルーティングテーブルの具体例を示す。
【図５】図５は、一例となる処理を示す。
【図６】図６は、第１装置の一例となるブロック図を示す。
【図７】図７は、第１ロジックフローの具体例を示す。
【図８】図８は、第１記憶媒体の具体例を示す。
【図９】図９は、第２装置の一例となるブロック図を示す。
【図１０】図１０は、第２ロジックフローの具体例を示す。
【図１１】図１１は、第２記憶媒体の具体例を示す。
【図１２】図１２は、一例となる計算プラットフォームを示す。
【図１３】図１３は、装置の具体例を示す。
【発明を実施するための形態】
【０００５】
具体例は、一般に無線装置の間のアドホックワイヤレスローカルアクセスネットワーク（ＷＬＡＮ）接続を有するメッシュネットワークのルーティングテーブルを生成するための改良に関する。これらのアドホックＷＬＡＮ接続は、ｔｈｅ  Ｉｎｓｔｉｔｕｔｅ  ｏｆ  Ｅｌｅｃｔｒｉｃａｌ  Ｅｎｇｉｎｅｅｒｓ（ＩＥＥＥ）により公表されたものなどの工業規格及び／又は仕様に基づき確立されてもよい。例えば、２０１２年３月及び／又は当該規格の以降のバージョン（“ＩＥＥＥ８０２．１１”）に公開されたＩＥＥＥ８０２．１１−２０１２  Ｓｔａｎｄａｒｄｓ  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ−Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：ＷＬＡＮ  Ｍｅｄｉａ  Ａｃｃｅｓｓ  Ｃｏｎｔｒｏｌｌｅｒ（ＭＡＣ）  ａｎｄ  Ｐｈｙｓｉｃａｌ  Ｌａｙｅｒ（ＰＨＹ）  Ｓｐｅｃｉｆｉｃａｔｉｏｎｓなどである。
【０００６】
いくつかの具体例では、アドホックＷＬＡＮ接続を有するメッシュネットワークの１以上の無線装置は、メッシュネットワークの外部に接続を提供することが可能であってもよい。メッシュネットワークの外部の接続は、メッシュネットワークが外部ネットワーク及び／又はマネージメントオーソリティに接続し、メッシュネットワークに含まれる無線装置の１以上のネットワークアップリンク又はダウンリンクパスを提供することを可能にしてもよい。メッシュネットワークの外部の接続を提供可能なこれらの１以上の無線装置は、１以上の無線モバイル通信セルラ又は無線モバイルブロードバンド技術を利用してもよい。無線モバイルブロードバンド技術は、１以上の第３世代（３Ｇ）、第４世代（４Ｇ）又は出現する第５世代（５Ｇ）無線規格、改訂、後継及び変形を含むものであってもよい。無線モバイルブロードバンド技術の具体例は、限定することなく、ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６ｍ及び８０２．１６ｐ規格、３ｒｄ  Ｇｅｎｅｒａｔｉｏｎ  Ｐａｒｔｎｅｒｓｈｉｐ  Ｐｒｏｊｅｃｔ（３ＧＰＰ）  Ｌｏｎｇ  Ｔｅｒｍ  Ｅｖｏｌｕｔｉｏｎ（ＬＴＥ）及びＬＴＥ−Ａｄｖａｎｃｅｄ（ＬＴＥ−Ａ）規格及びＩｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−ＡＤＶ）規格、それらの改訂、後継及び変形を含む何れかを含むものであってもよい。他の適した具体例は、限定することなく、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）／Ｅｎｈａｎｃｅｄ  Ｄａｔａ  Ｒａｔｅｓ  ｆｏｒ  ＧＳＭ  Ｅｖｏｌｕｔｉｏｎ（ＥＤＧＥ）技術、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）／Ｈｉｇｈ  Ｓｐｅｅｄ  Ｐａｃｋｅｔ（ＨＳＰＡ）技術、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ）若しくはＷｉＭＡＸＩＩ技術、符号分割多重接続（ＣＤＭＡ）２０００システム技術（ＣＤＭＡ２０００、１ｘＲＴＴ、ＣＤＭＡ２０００  ＥＶ−ＤＯ、ＣＤＭＡ  ＥＶ−ＤＶなど）、ｔｈｅ  Ｅｕｒｏｐｅａｎ  Ｔｅｌｅｃｏｍｍｕｎｉｃａｔｉｏｎｓ  Ｓｔａｎｄａｒｄｓ  Ｉｎｓｔｉｔｕｔｅ（ＥＴＳＩ）により規定されたようなＨｉｇｈ  Ｐｅｒｆｏｒｍａｎｃｅ  Ｒａｄｉｏ  Ｍｅｔｒｏｐｏｌｉｔａｎ  Ａｒｅａ  Ｎｅｔｗｏｒｋ（ＨＩＰＥＲＭＡＮ）技術、Ｗｉｒｅｌｅｓｓ  Ｂｒｏａｄｂａｎｄ（ＷｉＢｒｏ）技術、ＧＳＭ  ｗｉｔｈ  Ｇｅｎｅｒａｌ  Ｐａｃｋｅｔ  Ｒａｄｉｏ  Ｓｅｒｖｉｃｅ（ＧＰＲＳ）システム（ＧＳＭ／ＧＰＲＳ）技術、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）技術、Ｈｉｇｈ  Ｓｐｅｅｄ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ（ＯＦＤＭ）  Ｐａｃｋｅｔ  Ａｃｃｅｓｓ（ＨＳＯＰＡ）技術、Ｈｉｇｈ−Ｓｐｅｅｄ  Ｕｐｌｉｎｋ  Ｐａｃｋｅｔ  Ａｃｃｅｓｓ（ＨＳＵＰＡ）システム技術、ＬＴＥ／Ｓｙｓｔｅｍ  Ａｒｃｈｉｔｅｃｔｕｒｅ  Ｅｖ��ｌｕｔｉｏｎ（ＳＡＥ）の３ＧＰＰ  Ｒｅｌ．８，９，１０又は１１などを含むものであってもよい。これらの具体例は、ここでは限定されない。
【０００７】
本開示において想定されるように、メッシュネットワークにおいて形成されるＭＡＮＥＴの各無線装置は、エンドポイントして機能してもよい。エンドポイントとして、各無線装置は、メッシュネットワークの他の無線装置又は他の外部ネットワークの装置にデータ及び／又は通信をルーティングするため、これらの移動を認識する必要があるかもしれない。しかしながら、メッシュネットワークを介し通信及び／又はデータをルーティングするためのアドホックルーティングプロトコルは、これらの無線装置に高い計算、ネットワーク帯域幅又はアプリケーションメッセージ遅延の負担を与える可能性がある。メッシュネットワークに含まれる無線装置のモビリティは、当該モビリティがメッシュネットワークのトポロジーを常に変化させるため、これらの負担を増大させる。
【０００８】
いくつかの解決手段は、これらの負担を軽減しようとする。Ｂｅｔｔｅｒ  Ａｐｐｒｏａｃｈ  ｔｏ  Ｍｏｂｉｌｅ  Ａｄ  Ｈｏｃ  Ｎｅｔｗｏｒｋｉｎｇ（Ｂ．Ａ．Ｔ．Ｍ．Ａ．Ｎ）及びＯｐｔｉｍｉｚｅｄ  Ｌｉｎｋ  Ｓｔａｔｅ  Ｒｏｕｔｉｎｇ  Ｐｒｏｔｏｃｏｌ（ＯＬＳＲ）などのテーブルドリブン（プロアクティブ）ルーティング手段は、ネットワークトラフィックニーズから独立して、ルーティングテーブルを定期的に決定し、その後にネットワーク全体に配信することによって、各無線装置にデスティネーション及びそれのルートのフレッシュリストを維持させてもよい。このような手段の主要な問題点は、それらが大量のデータを必要とし、メッシュネットワークの１以上の無線装置の間の移動又は接続失敗によるトポロジー変更に反応することが遅いかもしれないということである。
【０００９】
オンデマンド（リアクティブ）ルーティング手段は、２００７年２月に公開されたＲｅｑｕｅｓｔ  ｆｏｒ  Ｃｏｍｍｅｎｔｓ（ＲＦＣ）：４７２９，“Ｔｈｅ  Ｄｙｎａｍｉｃ  Ｓｏｕｒｃｅ  Ｒｏｕｔｉｎｇ  Ｐｒｏｔｏｃｏｌ（ＤＳＲ）  ｆｏｒ  Ｍｏｂｉｌｅ  Ａｄ  Ｈｏｃ  Ｎｅｔｗｏｒｋｓ  ｆｏｒ  ＩＰｖ４”（“ＲＦＣ  ４７２９”）として刊行物に記載されたダイナミックＭＡＮＥＴオンデマンドルーティングを含むものであってもよい。ＲＦＣ４７２９について、要求されるルートは、ＭＡＮＥＴにルートリクエストパケットを流入させることによってオンデマンドに決定されてもよい。この手段の主要な問題点は、要求されるルートを検出することを試みるとき、高い遅延が生じ、これはまた過剰なネットワークトラフィックを生じさせる可能性があるということであるかもしれない。
【００１０】
メッシュネットワークとして形成されるＭＡＮＥＴに含まれる無線装置がバッテリにより駆動されるとき、上記の手段の更なる問題点は、高計算負荷及び過剰なネットワークトラフィックが無線装置のバッテリを許容できないレートにおいてチャージを失わせる可能性があるということであるかもしれない。また、単独の無線装置又は無線装置のサブセットが他の無線装置にネットワークトラフィックの不均衡なパーセントをルーティングすることによって不公平に意図的でなく負荷を与えられるという点で、ＭＡＮＥＴにおいてあるレベルの“公平性”を維持することは困難であるかもしれない。これはまた、負荷が与えられた無線装置のバッテリがチャージを失うレートに対する許容できない影響を有し、負荷が与えられた無線装置の応答性を低減させうる。上記及び他のチャレンジに関して、ここに説明される具体例が必要とされる。
【００１１】
いくつかの具体例によると、アドホック接続を有するメッシュネットワークのルーティングテーブルを生成する技術は、第１の方法を実現することを含むものであってもよい。第１の方法は、ソフトウェアにより定義されたネットワーク（ＳＤＮ）のマネージメントオーソリティにおいて遠隔測定データを受信することを含むものであってもよい。遠隔測定データは、無線装置の間の１以上のアドホックＷＬＡＮ接続を有するメッシュネットワークにおいて一緒に接続される無線装置から受信されてもよい。この第１の方法について、メッシュネットワークは、無線装置の少なくとも１つを介しマネージメントオーソリティに接続されてもよい。第１の方法はまた、遠隔測定データに少なくとも部分的に基づき１以上のアドホックＷＬＡＮ接続を介し１以上のパスを定義するためルーティングテーブルを生成することを含むものであってもよい。第１の方法はまた、メッシュネットワーク内でデータをルーティングするため、又はメッシュネットワークに接続された第１ネットワークにデータをルーティングするのに利用するため、メッシュネットワークに接続された少なくとも１つの無線装置にルーティングテーブルを送信することを含むものであってもよい。
【００１２】
いくつかの具体例では、アドホック接続を有するメッシュネットワークのルーティングテーブルを生成する技術はまた、第２の方法を実現することを含むものであってもよい。第２の方法は、第１無線装置の回路において、第２無線装置との第１アドホックＷＬＡＮ接続を確立し、第２アドホックＷＬＡＮ接続を介し第２無線装置に接続される少なくとも第３無線装置を有するメッシュネットワークに接続することを含むものであってもよい。第２の方法はまた、第２無線装置又は第３無線装置の少なくとも１つを介しメッシュネットワークに接続されるＳＤＮのマネージメントオーソリティに遠隔測定データを通信するためアドレス情報を受信することを含むものであってもよい。第２の方法はまた、ネゴシエートされるセッションパラメータに基づきマネージメントオーソリティに遠隔測定データを送信することを含むものであってもよい。第２の方法はまた、マネージメントオーソリティにより生成されるルーティングテーブルを受信することを含むものであってもよい。この第２の方法について、ルーティングテーブルは、遠隔測定データに基づくものであってもよく、メッシュネットワーク内でデータをルーティングするため、又は第１、第２又は第３無線装置を介しメッシュネットワークに接続された第１ネットワークにデータをルーティングするため、第１無線装置により利用されてもよい。
【００１３】
図１は、一例となるシステム１００を示す。図１に示されるように、システム１００は、複数の無線装置１２０−１〜１２０−ｎ（ただし、ｎは６より大きい任意の正の整数である）を含むメッシュネットワーク１０５に接続されるソフトウェアにより定義されたネットワーク（ＳＤＮ）１１０を有する。図１に示されるように、ＳＤＮ１１０は、無線装置１２０−２から外部リンク１２５−２を介しメッシュネットワーク１０５に直接接続してもよい。ＳＤＮ１１０はまた、インターネットサービスプロバイダ（ＩＳＰ）アクセスポイント（ＡＰ）１３０及び通信チャネル１３２を介し無線装置１２０−１から外部リンク１２５−１を介し間接的に接続してもよい。ＳＤＮ１１０はまた、ワイヤレスワイドエリアネットワーク（ＷＷＡＮ）１４０及び通信チャネル１４２を介し無線装置１２０−３から外部リンク１２５−３を介し間接的に接続してもよい。いくつかの具体例によると、外部リンク１２５−１，１２５−２又は１２５−３は無線リンクであり、通信チャネル１３２又は１４２は無線及び／又は有線通信チャネルであってもよい。具体例は、ＩＳＰ  ＡＰ又はＷＷＡＮを介しルーティングされるＳＤＮ１１０との直接的又は間接的な接続を有する単独の無線装置に限定されるものでない。図１に図示されないが、メッシュネットワーク１０５に含まれる複数の無線装置は、ＳＤＮ１１０に直接的又は間接的に接続可能であってもよい。
【００１４】
いくつかの具体例では、図１に示されるように、無線装置１２０−１〜１２０−ｎはそれぞれ、無線信号を送受信するため、各無線装置のアレイ１２２−１〜１２２−ｎを別々に利用する少なくとも１つの他の無線装置との少なくとも１つのアドホック接続を有してもよい。例えば、無線装置１２０−１は、アレイ１２２−１を利用して無線装置１２０−５及び１２０−４とのアドホック接続１２１−１及び１２１−４をそれぞれ維持する。また、これらの具体例について、各無線装置は、メッシュネットワーク１０５のエンドポイントとして機能することが可能であり、ルーティングテーブルを用いてメッシュネットワーク１０５内でデータをルーティングしてもよい。上述したように、無線装置にメッシュネットワークにおいてデータをルーティングするのに利用されるルーティングテーブルを生成するタスクが割り当てられている場合、過剰な負担がタスクが割り当てられた無線装置に与えられ得る。いくつかの具体例によると、以下でより説明されるように、ＳＤＮ１１０のマネージメントオーソリティ１１２などのマネージメントオーソリティは、無線装置１２０−１〜１２０−ｎなどの無線装置によって、これらの無線装置から受信した遠隔測定データに基づきルーティングテーブルを生成するのに利用されてもよい。これらの具体例について、マネージメントオーソリティは、相対的に大量の利用可能な計算リソースを有し、マネージメントオーソリティが受信した遠隔測定データに基づきルーティングテーブルを生成することを可能にする位置に固有のデータ又は情報によって拡張されてもよい。
【００１５】
いくつかの具体例によると、無線装置１２０−１〜１２０−ｎを一緒に接続する各種のアドホック接続は、ＩＥＥＥ８０２．１１−２０１２を含むようＩＥＥＥ規格に関連する１以上の無線通信規格に従って動作するアドホックＷＬＡＮ接続であってもよい。また、無線装置１２０−１とＩＳＰ  ＡＰ１３０との間の外部リンク１２５−１はまた、ＩＥＥＥ８０２．１１−２０１に従って動作してもよい。一方、無線装置１２０−３とＷＷＡＮ１４０との間の外部リンク１２５−３は、ＬＴＥ−Ａを含む１以上の３ＧＰＰ  ＬＴＥ規格に従って動作してもよい。また、無線装置１２０−２とＳＤＮ１１０との間の外部リンク１２５−２は、ＩＥＥＥ８０２．１１−２０１２及び／又はＬＴＥ−Ａに従って動作してもよい。外部リンク１２５−１〜１２５−３は、ＩＥＥＥ８０２．１１−２０１２又はＬＴＥ−Ａなどの規格に従って動作することに限定されるものでない。他の無線通信規格が想定される。
【００１６】
いくつかの具体例では、ＳＤＮ１１０はまた、通信チャネル１５２を介し１以上のパートナー１５０に接続してもよい。以下でより説明されるように、パートナー１５０は、メッシュネットワーク１０５に含まれる無線装置により要求されうる１以上のサービスを提供又は拡張することが可能であってもよい。いくつかの具体例では、パートナー１５０は、メッシュネットワーク１０５に含まれる無線装置の少なくとも一部とのサービスの同意を有してもよく、又は有さなくてもよい１以上のクラウドベースサービスパートナーを有してもよい。パートナー１５０は、例えば、サービスを提供するコストの少なくとも一部をカバーしうる商業的価値を有しうるサービスの提供に関連する蓄積した又はビッグデータを収集する代わりにサービスを提供する場合、サービスの同意を有しなくても、又は要求しなくてもよい。
【００１７】
いくつかの具体例によると、無線装置１２０−１〜１２０−ｎは、無線機能又は装置を有する何れかの電子装置であってもよい。いくつかの具体例について、無線装置１２０−１〜１２０−ｎは、固定又はモバイル装置により実現されてもよい。固定装置は、一般に経時的に変化しない固定、静止、永久又は非移動位置にあるよう設計される電子装置を表す。例えば、固定装置は、有線電力線、伝送線などを含む、移動を禁止するための定着物、付属物及びハウジングに設置されてもよい。他方、モバイル装置は、経時的に様々な場所を頻繁に移動するのに十分ポータブルなものになるよう設計されている。固定装置は一般に静止しているが、ある固定装置は第１固定位置のそれらの現在の装置から切断され、第２固定位置に移動され、第２固定位置の装置に接続されてもよい。しかしながら、このような固定装置の少なくとも一時的なモビリティは依然として、第１固定位置に基づくものであってもよいルーティングテーブルを更新する必要性を要求してもよい。
【００１８】
図２は、システム１００の一例となる第２ビューを示す。図２に示されるように、システム１００の一例となる第２ビューは、マネージメントオーソリティ１１２が配置されるサーバ２１０を有するＳＤＮ１００を有する。いくつかの具体例では、回路２１２は、メッシュネットワーク１０５の制御プレーンを提供するため、マネージメントオーソリティ１１２により利用されるサーバ２１０のホスト処理、記憶又は格納機能を有してもよい。制御プレーンを提供することは、受信した遠隔測定データ２１３に基づくメッシュネットワーク１０５に含まれる無線装置の間のアドホック接続を介し１以上のパスを規定するため、ルーティングテーブル２１５を生成することを含むものであってもよい。制御プレーンを提供することはまた、マネージメントオーソリティ１１２が、限定することなく、各無線装置がメッシュネットワーク１０５又はＳＤＮ１１０にアクセスするための中央認証及び検証制御、又はメッシュネットワーク１０５の規定されたパスを介しルーティングされるデータのウイルススキャンを含む１以上のマネージメント機能が可能であることを含むものであってもよい。いくつかの具体例によると、１以上のマネージメント機能は、メッシュネットワーク１０５の無線装置１２２−１〜１２２−ｎとマネージメントオーソリティ１１２との間のサービスの合意２１７に基づくものであってもよい。
【００１９】
いくつかの具体例では、図２に示されるように、システム１００の一例となる第２ビューは、回路２２２、遠隔測定データ２２３、ルーティングテーブル２２５及びマネージメントオーソリティアドレス２２７を含む無線装置１２０−２を有する。回路２２２は、無線装置１２０−１が他の無線装置とのアドホック接続（例えば、アドホック接続１２１−２又は１２３−２など）を少なくとも確立し、マネージメントオーソリティ１１２と通信し、マネージメントオーソリティ１１２により生成されたルーティングテーブルを受信するか、又はマネージメントオーソリティ１１２を介しパートナー１５０にルーティングされるサービスを要求／受信することを可能にするためのロジック及び／又は機能を有してもよい。図２に示されないが、図１に示されるメッシュネットワーク１０５の他の無線装置はまた、これら他の無線装置が無線装置１２０−２について上述したような類似の機能を実現することを可能にするための回路、遠隔測定データ、ルーティングテーブル及びマネージメントオーソリティアドレスを有してもよい。
【００２０】
図３は、一例となる遠隔測定データを示す。図３に示されるように、遠隔測定データ２１３に含まれる一例となる遠隔測定データは、ＳＤＮ１１０のマネージメントオーソリティ１１２により収集及び／又は維持されてもよい。いくつかの具体例では、図３に示されるように、遠隔測定データ２１３は、メッシュネットワーク１０５の無線装置１２２−１〜１２２−ｎから収集された識別子、位置情報、装置特性又は接続を有してもよい。
【００２１】
いくつかの具体例によると、識別子遠隔測定データはフィールド３１０に含まれてもよい。これらの具体例について、フィールド３１０は各無線装置の識別子情報を示すものであってもよい。識別子情報は、各無線装置によって提供されてもよいし、又はマネージメントオーソリティ１１２により割り当てられてもよい。
【００２２】
いくつかの具体例では、位置情報は、限定することなく、フィールド３２０，３３０，３４０を有してもよい。フィールド３２０は、ＧＰＳ（Ｇｌｏｂａｌ  Ｐｏｓｉｔｉｏｎｉｎｇ  Ｓｙｓｔｅｍ）座標などの各無線装置の物理的な位置情報を有してもよい。フィールド３３０は、各無線装置の移動レートを示す速度情報を有してもよい。フィールド３４０は、各無線装置の移動方向情報を有してもよい。
【００２３】
いくつかの具体例によると、装置特性は、限定することなく、フィールド３５０，３６０，３７０を有してもよい。フィールド３５０は、バッテリ電力やウォールソケット電力などの各無線装置の電源を示すための電力情報を有してもよい。フィールド３６０は、メッシュネットワーク内又は外部においてデータをルーティングするのに利用される各無線装置の処理ワークロードを示すためのルーティングワークロードを有してもよい。フィールド３７０は、ルーティングデータに関連する各無線装置のＱｏＳ（Ｑｕａｌｉｔｙ  ｏｆ  Ｓｅｒｖｉｃｅ）保証を示すＱｏＳ情報を有してもよい。これらのＱｏＳ保証は、マネージメントオーソリティ１１２と各無線装置との間のサービスの合意２１７に関連付けされてもよいし、又はストリーミングビデオアプリケーションなどのこれらの無線装置により実現されるアプリケーションについて要求されるＱｏＳ保証を反映してもよい。いくつかの具体例では、マネージメントオーソリティ１１２は、フィールド３７０に示される各自のＱｏＳ保証を充足することを実現するため、メッシュネットワーク１０５の無線装置の間で時間を同期させることを可能にするロジック及び／又は機能を有してもよい。
【００２４】
いくつかの具体例では、接続はフィールド３８０，３９０に接続を有してもよい。フィールド３８０は、各無線装置がマネージメントオーソリティ１１２にどのように結合又は接続されているか示すものであってもよい。例えば、無線装置１２０−２は、図１に示されるような外部リンク１２５−２を介しマネージメントオーソリティ１１２に直接接続される。他の無線装置は、無線装置１２０−２を介し又はＩＳＰ  ＡＰ１３０又はＷＷＡＮ１４０などの外部ネットワークを介し間接的に接続してもよい。フィールド３９０は、何れの無線装置がＩＳＰ  ＡＰ１３０又はＷＷＡＮ１４０に関連するものなどの外部ネットワークに接続するか示してもよい。
【００２５】
具体例は、マネージメントオーソリティ１１２により収集される遠隔測定データについてフィールド３１０〜３９０に限定されない。同様の又は異なる遠隔測定データを含むより多くの又はより少ないフィールドがマネージメントオーソリティ１１２により収集及び利用され、メッシュネットワーク１０５の無線装置１２０−１〜１２０−ｎにより利用されるルーティングテーブルを生成してもよい。
【００２６】
図４は、一例となるルーティングテーブル４００を示す。いくつかの具体例によると、図４に示されるように、ルーティングテーブル４００は、メッシュネットワーク１０５内でデータをルーティングするため、又はメッシュネットワーク１０５に接続されるネットワークにデータをルーティングするため、無線装置１２０−１により利用されるメッシュネットワーク１０５の無線装置１２０−１〜１２０−ｎの間のアドホック接続を介しパスを規定してもよい。例えば、ＳＤＮ１１０への第１外部パスは、外部リンク１２５−２を介しＳＤＮ１１０に直接ルーティングされてもよい。第２外部パスは、第１にアドホック接続１２３−２を介し無線装置１２０−６にルーティングされ、その後に第２にアドホック接続１２１−６を介し無線装置１２０−３にルーティングされ、第３に外部リンク１２５−３を介しＷＷＡＮ１４０にルーティングされてもよい。第３外部パスは、第１にアドホック接続１２１−２を介し無線装置１２０−５にルーティングされ、第２にアドホック接続１２１−２を介し無線装置１２０−１にルーティングされ、第３に外部リンク１２５−１を介しＩＳＰ  ＡＰ１３０にルーティングされてもよい。
【００２７】
メッシュネットワーク１０５内の他の無線装置へのパスはまた、ルーティングテーブル４００に示される。例えば、無線装置１２０−１へのパスは、第１にアドホック接続１２１−２を介し無線装置１２０−５にルーティングされ、その後に第２にアドホック接続１２１−１を介し無線装置１２０−１にルーティングされてもよい。
【００２８】
いくつかの具体例によると、ルーティングテーブル４００は、無線装置１２０−１〜１２０−ｎから受信した遠隔測定データに少なくとも部分的に基づき生成されてもよい。ルーティングテーブル４００はまた、メッシュネットワーク１０５の内部又は外部にデータをルーティングするため、各無線装置により利用される各自の処理ワークロードをバランスさせることを含む公平性スキームなどの他のタイプの情報に基づき生成されてもよい。例えば、無線装置１２０−１は、不均衡な処理電力量を利用し、それの１つの外部リンク１２５−１を介しＩＳＰ  ＡＰ１３０に、また２つのアドホック接続を介し無線装置１２０−４，１２０−５にデータをルーティングしてもよい。ルーティングテーブル４００は、メッシュネットワーク１０５に接続される３つ全ての外部リンクを通過するパスを介しデータをルーティングする実質的に等しい個数の無線装置を有することによって、無線装置１２０−１に対する負担をバランスさせるよう生成されてもよい。また、内部のメッシュネットワークのパスについて、同様のバランシングが、これらの内部のメッシュネットワークのパスを介しデータをルーティングするため、不均衡な処理電力量を利用する必要がある一部の無線装置を有することを回避するため実行されてもよい。
【００２９】
いくつかの具体例では、ルーティングテーブル４００はまた、無線装置１２０−１〜１２０−ｎの物理的位置の物理的な地形特性を示す情報に基づき生成されてもよい。これらの具体例について、物理的な地形特性は、限定することなく、丘、山、植被、建物のタイプ及び／若しくはサイズ、橋、鉄道、トンネル又は道路を含むものであってもよい。物理的な地形特性は、各無線装置の無線信号の品質に不均一に影響を与えうる。例えば、２つの無線装置の間に大きな建物又は丘がある場合、ルーティングテーブル４００は、これら２つの無線装置の間の最短距離でない建物又は丘の周囲のパスを選択してもよい。
【００３０】
いくつかの具体例によると、メッシュネットワーク１０５の一部でないエリアの他の無線装置の密度などの他の位置ベース情報は、ルーティングテーブル４００における規定されたパスに影響を与えうる。例えば、高密度な無線装置を有する位置は、有意な信号干渉を生じさせうる。物理的地形の周囲のルーティングと同様に、これらの位置において有意な信号干渉を有すると予想されるエリアの周囲をルーティングするパスが規定されてもよい。
【００３１】
図５は、一例となる処理５００を示す。いくつかの具体例では、処理５００は、マネージメントオーソリティがメッシュネットワークの無線装置により利用されるルーティングテーブルを生成し、またサービスリクエストの少なくとも一部を充足するため１以上のクラウドベースのパートナーの利用を生じさせうるサービスリクエストを受信することであってもよい。これらの具体例について、図１又は２に示されるようなシステム１００の要素は、処理５００に関連する一例となる処理を示すのに利用されてもよい。また、図３及び４に示されるような遠隔測定データ２１３又はルーティングテーブル４００に含まれる情報は、これらの要素の間でやりとりされてもよい。しかしながら、一例となる処理５００は、図１〜４に示されるシステム１００の要素、遠隔測定データ２１３又はルーティングテーブル４００を利用した実現形態に限定されるものでない。
【００３２】
処理５．１から始まって（アドホック接続を確立）、無線装置１２０−５のロジック及び／又は機能は、メッシュネットワーク１０５に含まれる他の無線装置とのアドホック接続を確立してもよい。いくつかの具体例では、アドホック無線接続は、ＩＥＥＥ８０２．１１−２０１２に従って確立されるアドホックＷＬＡＮ接続を有してもよい。例えば、アドホックＷＬＡＮ接続は、無線装置１２０−１，１２０−２，１２０−４と確立されてもよい。アドホック接続の確立は、無線装置１２０−５がメッシュネットワーク１０５をスキャンし、可能性のあるアドホックＷＬＡＮ接続としてこれらの無線装置を特定し、その後に、これらの無線装置とのアドホックＷＬＡＮ接続を確立する前に各無線装置及び／又はメッシュネットワーク１０５を認証することを有してもよい。いくつかの具体例によると、認証はセキュリティ目的のために必要とされてもよい。
【００３３】
処理５．２に移行して（アドレス情報を受信）、無線装置１２０−５のロジック及び／又は機能は、マネージメントオーソリティ１１２と通信するため、アドレス情報を受信してもよい。いくつかの具体例では、受信したアドレス情報は、無線装置１２０−５に外部リンク１２５−２を介しＳＤＮ１１０に接続される無線装置１２０−２を介した通信をルーティングさせうる。他の具体例では、受信したアドレス情報は、無線装置１２０−５にＩＳＰ  ＡＰ１３０を介し接続された無線装置１２０−１などの外部ネットワークを介しＳＤＮ１１０に接続する他の無線装置を介した通信をルーティングさせうる。
【００３４】
処理５．３に移行して（セッションパラメータをネゴシエート）、無線装置１２０−５のロジック及び／又は機能は、受信したアドレス情報を利用して、無線装置１２０−５との制御プレーンを確立するため、マネージメントオーソリティ１１２のロジック及び／又は機能とセッションパラメータをネゴシエートしてもよい。いくつかの具体例では、ネゴシエートされたセッションパラメータは、ＩＥＥＥ８０２．１１−２０１２又はＬＴＥ−Ａを含む３ＧＰＰ規格に関連するものなどの工業規格を利用することに基づくものであってもよい。セッションパラメータのネゴシエートはまた、ルーティングテーブルを生成するためマネージメントオーソリティ１１２により利用可能な無線装置１２０−５から受信される遠隔測定データの頻度及びコンテンツを決定してもよい。いくつかの具体例によると、遠隔測定データのコンテンツは、遠隔測定データ２１３について図３に示されたものと同様の情報を有してもよい。無線装置１２０−５が遠隔測定データを送信する頻度は、無線装置１２０−１〜１２０−ｎのモビリティ特性、及び／又はメッシュネットワーク１０５又はマネージメントオーソリティ１１２に接続される他のメッシュネットワークに含まれる無線装置から遠隔測定データを受信するためマネージメントオーソリティ１１２に利用可能な処理パワーなどのファクタに依存してもよい。
【００３５】
処理５．４に移行して（検証リクエスト）、マネージメントオーソリティ１１２のロジック及び／又は機能は、検証リクエストを無線装置１２０−５に送信してもよい。いくつかの具体例では、検証リクエストは、マネージメントオーソリティ１１２が無線装置１２０−５から受信した遠隔測定データを利用して、受信した遠隔測定データに基づきルーティングテーブルを生成及び提供する前に、マネージメントオーソリティ１１２とのサービス合意を有するか検証することであってもよい。
【００３６】
処理５．５に移行して（識別情報）、無線装置１２０−５のロジック及び／又は機能は、検証リクエストに応答して識別情報を送信してもよい。いくつかの具体例によると、マネージメントオーソリティ１１２のロジック及び／又は機能は、その後、受信した識別情報が無線装置１２０−５により提供される識別情報を有する所与の無線装置の識別情報に一致したことに基づき無線装置１２０−５を認証してもよい。
【００３７】
処理５．６に移行して（遠隔測定データ）、無線装置１２０−５のロジック及び／又は機能は、その後、ネゴシエートされたセッションパラメータに基づき遠隔測定データをマネージメントオーソリティ１１２に送信してもよい。
【００３８】
処理５．７に移行して（ルーティングテーブル）、マネージメントオーソリティ１１２のロジック及び／又は機能は、受信又は収集した遠隔測定データに基づきルーティングテーブルを生成してもよい。いくつかの具体例では、遠隔測定データは、メッシュネットワーク１０５に含まれる１以上の無線装置から収集されたものであってもよい。ルーティングテーブルは、無線装置１２０−５と共に、メッシュネットワーク１０５の他の無線装置に送信されてもよい。これらの具体例について、受信したルーティングテーブルは、メッシュネットワーク１０５内で、又はメッシュネットワーク１０５に接続されるネットワークにデータをルーティングするため、無線装置１２０−５により利用されてもよい。いくつかの具体例によると、更新された遠隔測定データは、ネゴシエートされたセッションパラメータに基づき無線装置１２０−５により送信されてもよく、更新されたルーティングテーブルは、更新された遠隔測定データに基づき生成され、無線装置１２０−５と共にメッシュネットワーク１０５の他の無線装置に配信されてもよい。
【００３９】
処理５．８に移行して（同期情報）、マネージメントオーソリティ１１２のロジック及び／又は機能は、無線装置１２０−５と共にメッシュネットワーク１０５の他の無線装置に同期情報を送信可能であってもよい。いくつかの具体例では、同期情報は、受信したルーティングテーブルを用いてデータをルーティングする際、ＱｏＳ保証の充足を実現するため、メッシュネットワーク１０５に含まれる無線装置の間で時間が同期されることを可能にしてもよい。
【００４０】
処理５．９に移行して（マネージメント機能）、マネージメントオーソリティ１１２のロジック及び／又は機能は、処理５．３において確立された制御プレーンを介し無線装置１２０−５と共にメッシュネットワーク１０５の他の無線装置に１以上のマネージメント機能を提供可能であってもよい。いくつかの具体例では、１以上のマネージメント機能は、各無線装置がメッシュネットワーク１０５又はＳＤＮ１１０／マネージメントオーソリティ１１２にアクセスするための中央認証検証制御又はメッシュネットワーク１０５を介しルーティングされたデータのウイルススキャニングを含むものであってもよい。例えば、無線装置１２０−５と共に、メッシュネットワーク１０５の他の無線装置は、これらのマネージメント機能を利用して、メッシュネットワーク１０５に加入することを試みる更なる無線装置を認証及び検証してもよい。これら１以上のマネージメント機能は、例えば、効率的でセキュアなメッシュネットワークを維持するのに利用される必要がある他の無線装置及び無線装置１２０−５からマネージメントオーソリティ１１２へのかなりの処理パワー量をオフロードしてもよい。
【００４１】
処理５．１０に移行して（サービスリクエスト）、無線装置１２０−５のロジック及び／又は機能は、サービスリクエストをマネージメントオーソリティ１１２に送信可能であってもよい。いくつかの具体例では、サービスリクエストは、物理的位置情報などの無線装置１２０−５により送信される遠隔測定データに基づくものであってもよい。これらの具体例について、サービスリクエストは、限定することなく、（バッテリ駆動される場合）無線装置１２０−５のバッテリを充電するための充電ステーション、無線装置１２０−５が所与の位置に到達するのに移動する表面ルート、又は無線装置１２０−５の物理位置に最も近くにある駐車場の物理的位置を特定することの１つを含むものであってもよい。
【００４２】
処理５．１１に移行して（サービスリクエストｗ／遠隔測定データ）、マネージメントオーソリティ１１２のロジック及び／又は機能は、サービスリクエストを充足させるのに実現するため、サービスリクエストと共に関連する遠隔測定データをパートナー１５０に転送してもよい。
【００４３】
処理５．１２に移行して（サービスリクエストを実現）、パートナー１５０は、サービスリクエストを実現してもよい。いくつかの具体例によると、パートナー１５０は、駐車エリアの画像を解析し、遠隔測定データに示される無線装置１２０−５の物理的位置の近傍の空きスポットを認識するニアリアルタイム衛星画像プロバイダを有してもよい。
【００４４】
処理５．１３に移行して（サービスリクエストを実現）、マネージメントオーソリティ１１２のロジック及び／又は機能は、サービスリクエストを実現するため、パートナー１５０により提供された情報を転送する。
【００４５】
図６は、一例となる第１装置のブロック図を示す。図６に示されるように、一例となる第１装置は装置６００を含む。図６に示される装置６００はあるトポロジーにおいて限定数の要素を有するが、装置６００は、所与の実現形態について所望されるような他のトポロジーにより多くの又はより少ない要素を有してもよいことが理解されてもよい。
【００４６】
装置６００は、１以上のソフトウェアコンポーネント６２２−ａを実行するよう構成される回路６２０を有するコンピュータにより実現される装置６００を有してもよい。ここで用いられる“ａ”、“ｂ”、“ｃ”及び同様の表記は何れかの正の整数を表す変数であると意図されることに留意すべきである。従って、例えば、ある実現形態がａ＝７について値を設定した場合、ソフトウェアコンポーネント６２２−ａの完全なセットは、コンポーネント６２２−１，６２２−２，６２２−３，６２２−４，６２２−５，６２２−６，６２２−７を有してもよい。具体例はこれに限定されるものでない。
【００４７】
いくつかの具体例によると、装置６００は、ソフトウェアにより定義されるネットワーク（ＳＤＮ）のネットワーク装置などのシステム装置において実現されてもよい。例えば、装置６００は、図２に示されるサーバなどのサーバに又は一緒に配置されるＳＤＮのマネージメントオーソリティのためのものであってもよい。
【００４８】
いくつかの具体例では、図６に示されるように、装置６００は回路６２０を有する。回路６２０は、一般に１以上のソフトウェアコンポーネント６２２−ａを実行するよう構成されてもよい。回路６２０は、限定することなく、ＡＭＤ（登録商標）のＡｔｈｌｏｎ（登録商標）、Ｄｕｒｏｎ（登録商標）及びＯｐｔｅｒｏｎ（登録商標）プロセッサ、ＡＲＭ（登録商標）のアプリケーション、埋め込み及びセキュアプロセッサ、Ｑｕａｌｃｏｍｍ（登録商標）のＳｎａｐｄｒａｇｏｎ、ＩＢＭ（登録商標）及びＭｏｔｏｒｏｌａ（登録商標）のＤｒａｇｏｎＢａｌｌ（登録商標）及びＰｏｗｅｒＰＣ（登録商標）プロセッサ、ＩＢＭ及びＳｏｎｙ（登録商標）のＣｅｌｌプロセッサ、Ｉｎｔｅｌ（登録商標）のＣｅｌｅｒｏｎ（登録商標）、Ｃｏｒｅ（２）Ｄｕｏ（登録商標）、Ｃｏｒｅ  ｉ３、Ｃｏｒｅ  ｉ５、Ｃｏｒｅ  ｉ７、Ｉｔａｎｉｕｍ（登録商標）、Ｐｅｎｔｉｕｍ（登録商標）、Ｘｅｏｎ（登録商標）、Ａｔｏｍ（登録商標）及びＸＳｃａｌｅ（登録商標）プロセッサ並びに同様のプロセッサを含む各種市販のプロセッサの何れかとすることができる。デュアルマイクロプロセッサ、マルチコアプロセッサ及び他のマルチプロセッサアーキテクチャがまた、回路６２０として利用されてもよい。いくつかの具体例によると、回路６２０はまたＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）であってもよく、少なくとも一部のコンポーネント６２２−ａはＡＳＩＣのハードウェア要素として実現されてもよい。
【００４９】
いくつかの具体例では、マネージメントオーソリティのための装置６００は検証コンポーネント６２２−１を有してもよい。検証コンポーネント６２２−１は、１以上のアドホックＷＬＡＮ接続を有するメッシュネットワークにおいて一緒に接続される無線装置からのある無線装置がマネージメントエンティティとのサービスの合意を有しているか検証するため、回路６２０によって実行されてもよい。メッシュネットワークは、例えば、無線装置の少なくとも１つを介しマネージメントオーソリティに接続されてもよい。これらの具体例について、検証コンポーネント６２２−１は、無線装置から受信される遠隔測定データの頻度及びコンテンツを決定する無線装置とネゴシエートされたセッションパラメータ６０５に従って、検証リクエスト６１０に含まれる検証リクエストを無線装置に送信してもよい。検証コンポーネント６２２−１は、サービス合意６２３−ａを介し無線装置とのサービス合意を維持又は検索可能であってもよい。サービス合意６２３−ａは、検証コンポーネント６２２−１に維持又はアクセス可能であってもよいルックアップテーブル（ＬＵＴ）などのデータ構造に配置されてもよい。
【００５０】
いくつかの具体例では、装置６００はまた、認証コンポーネント６２２−２を有してもよい。認証コンポーネント６２２−２は、無線装置からの識別情報６１５の受信に応答して、マネージメントオーソリティとのサービス合意を有する所与の無線装置の識別情報に一致する無線装置の識別情報を認証するため、回路６２０によって実行されてもよい。認証コンポーネント６２２−２は、識別情報６２４−ｂを介し無線装置の識別情報を維持又は検索可能であってもよい。識別情報６２４−ｂは、無線装置の識別情報がサービス合意を有する所与の無線装置の識別情報に一致するか判断するため、認証コンポーネント６２２−２に維持又はアクセス可能であってもよいＬＵＴなどのデータ構造に配置されてもよい。
【００５１】
いくつかの具体例によると、装置６００はまた、受信コンポーネント６２２−３を有してもよい。受信コンポーネント６２２−３は、メッシュネットワークに一緒に接続される無線装置から遠隔測定データを受信するため、回路６２０により実行されてもよい。これらの具体例について、受信した遠隔測定データは遠隔測定データ６３５に含まれてもよく、検証及び認証された無線装置から受信した遠隔測定データを含むものであってもよい。
【００５２】
いくつかの具体例によると、装置６００はまた、テーブルコンポーネント６２２−４を有してもよい。テーブルコンポーネント６２２−４は、メッシュネットワークにおいて一緒に接続された無線装置から受信した遠隔測定データに基づき、１以上のアドホックＷＬＡＮを介し１以上のパスを規定するためルーティングテーブルを生成するため、回路６２０により実行されてもよい。これらの具体例について、遠隔測定データ６２５−ｃは、テーブルコンポーネント６２２−４によって維持され（ＬＵＴなどにおいて）、検証及び認証された無線装置から受信した遠隔測定データ６３０を有してもよい。
【００５３】
いくつかの具体例では、装置６００はまた、送信コンポーネント６２２−５を有してもよい。送信コンポーネント６２２−５は、メッシュネットワーク内でデータをルーティングするため、又はメッシュネットワークに接続される第１ネットワークにデータをルーティングするため利用されるメッシュネットワークに接続された少なくとも１つの無線装置にテーブルコンポーネント６２２−４により生成されたルーティングテーブルを送信するため、回路６２０により実行されてもよい。生成されたルーティングテーブルは、ルーティングテーブル６３５に含まれてもよい。
【００５４】
いくつかの具体例では、装置６００はまた、同期コンポーネント６２２−６を有してもよい。同期コンポーネント６２２−５は、各無線装置の各自のＱｏＳ保証の充足を実現するために無線装置の間の時間を同期させるため、回路６２０により実行されてもよい。これらの具体例について、同期情報６４０は、無線装置間で時間を同期させるため無線装置に送信されてもよい。
【００５５】
いくつかの具体例によると、装置６００はまた、サービスコンポーネント６２２−５を有してもよい。サービスコンポーネント６２２−５は、メッシュネットワークの無線装置からの無線装置からサービスリクエスト６４５に含まれるサービスリクエストを受信するため、回路６２０により実行されてもよい。サービスコンポーネント６２２−５は、パートナーからの支援によって又は支援なく、無線装置から受信した遠隔測定データの少なくとも一部に基づき、サービスリクエストレスポンス６５０によりリクエストを実現することが可能であってもよい。
【００５６】
いくつかの具体例では、サービスコンポーネント６２２−７は、サービス合意６２６−ｄを介しサービスを提供するため更なるサービス合意を維持又は検索することが可能であってもよい。サービス合意６２６−ｄは、サービスコンポーネント６２２−７に維持又はアクセス可能であってもよいＬＵＴなどのデータ構造に配置されてもよい。これらの具体例について、サービスコンポーネント６２２−７は、無線装置がサービスリクエストのサービス合意を有しているかに基づき、サービスリクエスト６４５に含まれるサービスリクエストを実現するか、又は実現しなくてもよい。
【００５７】
装置６００の各種コンポーネント及び装置６００を実現する装置は、各処理を連係させるため各種タイプの通信媒体によって互いに通信接続されてもよい。当該連係は、情報の一方向又は双方向のやりとりに関するものであってもよい。例えば、コンポーネントは、通信媒体を介し通信される信号の形態により情報を通信してもよい。当該情報は、各種信号線に割り当てられた信号として実現可能である。このような割当てでは、各メッセージは信号である。しかしながら、更なる実施例は、代わりにデータメッセージを利用してもよい。このようなデータメッセージは、各種接続を介し送信されてもよい。一例となる接続は、パラレルインタフェース、シリアルインタフェース及びバスインタフェースを有する。
【００５８】
開示されたアーキテクチャの新規な側面を実行するための一例となる方法を表すロジックフローセットがここに含まれる。説明の簡単化のため、ここに示される１以上の方法は処理系列として図示及び説明されるが、当業者は、当該方法が処理の順序により限定されるものでないことを理解するであろう。一部の処理は、これによると、異なる順序によって、及び／又はここに図示及び説明された以外の処理と同時に実行されてもよい。例えば、当業者は、ある方法が状態図などにおいて相互に関連する状態又はイベントの系列として代わりに表すことができることを理解するであろう。さらに、方法に示された処理の必ずしも全てが新規な実現形態について要求されなくてもよい。
【００５９】
ロジックフローは、ソフトウェア、ファームウェア及び／又はハードウェアにより実現されてもよい。ソフトウェア及びファームウェアの実施例では、ロジックフローは、光、磁気又は半導体ストレージなどの少なくとも１つの非一時的なコンピュータ可読媒体又はマシーン可読媒体に格納されるコンピュータにより実行可能な命令により実現されてもよい。実施例は、これに限定されるものでない。
【００６０】
図７は、ロジックフロー７００の具体例を示す。ロジックフロー７００は、装置６００などのここに説明される１以上のロジック、機能又はデバイスによって実行される処理の一部又は全てを表すものであってもよい。より詳細には、ロジックフロー７００は、検証コンポーネント６２２−１、認証コンポーネント６２２−２、受信コンポーネント６２２−３、テーブルコンポーネント６２２−４又は送信コンポーネント６２２−５により実現されてもよい。
【００６１】
図７に示される図示された具体例では、ロジックフロー７００は、ブロック７０２において、ＳＤＮのマネージメントオーソリティにおいて遠隔測定データを受信してもよく、当該遠隔測定データは無線装置の間の１以上のアドホックＷＬＡＮ接続を有するメッシュネットワークにおいて一緒に接続される無線装置から受信され、メッシュネットワークは無線装置の少なくとも１つを介しマネージメントオーソリティに接続される。これらの具体例について、受信コンポーネント６２２−３は、遠隔測定データを送信する無線装置の検証及び認証後、遠隔測定データを受信してもよい。検証コンポーネント６２２−１及び認証コンポーネント６２２−２は、これらの無線装置をそれぞれ検証及び認証することが可能であってもよい。
【００６２】
いくつかの具体例によると、ロジックフロー７００は、ブロック７０４において、遠隔測定データに少なくとも部分的に基づき、１以上のアドホックＷＬＡＮ接続を介し１以上のパスを規定するためルーティングテーブルを生成してもよい。これらの具体例について、テーブルコンポーネント６２２−４は、ルーティングテーブルを生成してもよい。
【００６３】
いくつかの具体例では、ロジックフロー７００は、ブロック７０６において、メッシュネットワーク内でデータをルーティングするため、又はメッシュネットワークに接続される第１ネットワークにデータをルーティングするために利用されるルーティングテーブルを、メッシュネットワークに接続される少なくとも１つの無線装置に送信してもよい。これらの具体例について、送信コンポーネント６２２−５は、ルーティングテーブルを少なくとも１つの無線装置に送信してもよい。少なくとも１つの無線装置は、その後、ルーティングテーブルをメッシュネットワークの他の無線装置に配信してもよい。
【００６４】
図８は、記憶媒体８００の実施例を示す。記憶媒体８００は製造物から構成されてもよい。いくつかの具体例では、記憶媒体８００は、光、磁気又は半導体ストレージなどの何れかの非一時的なコンピュータ可読媒体又はマシーン可読媒体を有してもよい。記憶媒体８００は、ロジックフロー７００を実現するための命令など、各種タイプのコンピュータ実行可能な命令を格納してもよい。コンピュータ可読又はマシーン可読記憶媒体の具体例は、揮発性メモリ若しくは不揮発性メモリ、着脱可能若しくは着脱不可なメモリ、消去可能若しくは消去不可なメモリ、書き換え可能若しくは書き換え不可なメモリなどを含む電子データを格納可能な何れかの有形な媒体を含むものであってもよい。コンピュータ実行可能な命令の具体例は、ソースコード、コンパイルされたコード、インタープリットされたコード、実行可能コード、スタティックコード、ダイナミックコード、オブジェクト指向コード、ビジュアルコードなどの何れか適切なタイプのコードを含むものであってもよい。具体例はこれに限定されるものでない。
【００６５】
図９は、一例となる第２装置のブロック図を示す。図９に示されるように、一例となる第２装置は装置９００を含む。図９に示される装置９００はあるトポロジーにおいて限定数の要素を有するが、装置９００は所与の実現形態について所望されるような他のトポロジーにより多くの又はより少ない要素を含むものであってもよいことが理解されてもよい。
【００６６】
装置９００は、１以上のソフトウェアコンポーネント９２２−ａを実行するよう構成される回路を有するコンピュータにより実現される装置９００を有してもよい。ここで用いられる“ａ”、“ｂ”、“ｃ”及び同様の表記は何れか正の整数を表す変数であると意図されることに留意すべきである。従って、例えば、ある実現形態がａ＝８の値を設定する場合、ソフトウェアコンポーネント９２２−ａの完全なセットは、コンポーネント９２２−１，９２２−２，９２２−３，９２２−４，９２２−５，９２２−６，９２２−７，９２２−８を有してもよい。具体例はこれに限定されるものでない。
【００６７】
いくつかの具体例によると、装置９００は、１以上の３ＧＰＰ  ＬＴＥ仕様書又はＩＥＥＥ８０２．１１−２０１２規格に従って動作し、メッシュネットワークの他の無線装置、メッシュネットワークの外部のネットワーク又はマネージメントオーソリティを有するＳＤＮに接続可能な第１無線装置（例えば、無線装置１２０−１〜１２０−ｎなど）において実現されてもよい。具体例はこれに限定されるものでない。
【００６８】
いくつかの具体例では、図９に示されるように、装置９００は回路を有する。回路は、一般に１以上のソフトウェアコンポーネント９２２−ａを実行するよう構成されてもよい。回路９２０は、限定することなく、装置６００について上述したプロセッサを含む各種市販のプロセッサの何れかとすることができる。また、いくつかの具体例によると、回路はまたＡＳＩＣであってもよく、少なくとも一部のコンポーネント９２２−ａはＡＳＩＣのハードウェア要素として実現されてもよい。
【００６９】
いくつかの具体例によると、装置９００は確立コンポーネント９２２−１を有してもよい。確立コンポーネント９２２−１は、第２アドホックＷＬＡＮ接続を介し第２無線装置に接続される第３無線装置を少なくとも有するメッシュネットワークに接続するため、第２無線装置との第１アドホックＷＬＡＮ接続を確立するため、回路により実行されてもよい。これらの具体例について、図９に示されるように、アドホック接続９０５の確立は、第２無線装置との第１アドホックＷＬＡＮ接続を確立することを含むものであってもよい。
【００７０】
いくつかの具体例では、装置９００はまたアドレスコンポーネント９２２−２を有してもよい。アドレスコンポーネント９２２−２は、第２無線装置又は第３無線装置の少なくとも１つを介しメッシュネットワークに接続されるＳＤＮのマネージメントオーソリティに遠隔測定データを通信するためにアドレス情報を受信するため、回路により実行されてもよい。これらの具体例について、アドレス情報９１０に含まれるアドレス情報は、確立コンポーネント９２２−１による第１アドホックＷＬＡＮ接続の確立後、第１無線装置から送信されるリクエストメッセージに応答して、第２又は第３無線装置からアドレスコンポーネント９２２−２により受信されてもよい。
【００７１】
いくつかの具体例によると、装置９００はまた検証コンポーネント９２２−３を有してもよい。検証コンポーネント９２２−３は、第１無線装置がマネージメントオーソリティとのサービス合意を有するか判断するためにマネージメントオーソリティから検証リクエストを受信するため、回路により実行されてもよい。これらの具体例について、検証リクエストは、検証リクエスト９３０に含まれてもよく、マネージメントオーソリティに送信される遠隔測定データの頻度及びコンテンツを決定しうるマネージメントオーソリティとネゴシエートされたセッションパラメータ９１５に従って受信されてもよい。
【００７２】
いくつかの具体例では、装置９００はまた識別コンポーネント９２２−４を有してもよい。識別コンポーネント９２２−４は、マネージメントオーソリティからの検証リクエストに応答して、識別情報９３５を介し識別情報を送信するため、回路により実行されてもよい。これらの具体例について、識別コンポーネント９２２−４は、識別情報９２３−ａにおいて識別情報を維持することが可能であってもよい。識別情報９２３−ａは、識別コンポーネント９２２−４に維持又はアクセス可能なＬＵＴなどのデータ構造に配置されてもよい。
【００７３】
いくつかの具体例によると、装置９００はまた遠隔測定コンポーネント９２２−５を有してもよい。遠隔測定コンポーネント９２２−５は、ネゴシエートされたセッションパラメータに基づき遠隔測定データをマネージメントオーソリティに送信するため、回路により実行されてもよい。これらの具体例について、遠隔測定コンポーネント９２２−５は、遠隔測定データ９４０をマネージメントオーソリティに送信するため、遠隔測定データ９２４−ｂにおける遠隔測定データを維持又はアクセス可能であってもよい。遠隔測定データ９２４−ｂは、遠隔測定コンポーネント９２２−５に維持又はアクセス可能なＬＵＴなどのデータ構造に配置されてもよい。
【００７４】
いくつかの具体例では、装置９００はまたルートコンポーネント９２２−６を有してもよい。ルートコンポーネント９２２−６は、マネージメントオーソリティにより生成されるルーティングテーブルを受信するため、回路により実行されてもよい。ルーティングテーブルは、遠隔測定コンポーネント９２２−５により送信される遠隔測定データに少なくとも部分的に基づくものであってもよい。ルーティングテーブルは、ルーティングテーブル９４５に含まれ、メッシュネットワーク内でデータをルーティングするため、又は第２若しくは第３無線装置を介しメッシュネットワークに接続される第１ネットワークにデータをルーティングするため第１無線装置により利用されてもよい。これらの具体例について、ルーティングコンポーネント９２２−６は、ルーティングテーブル９２５−ｃにおいてルーティングテーブルを維持することが可能であってもよい。ルーティングテーブル９２５−ｃは、ルーティングコンポーネント９２２−６に維持又はアクセス可能なＬＵＴなどのデータ構造に配置されてもよい。
【００７５】
いくつかの具体例によると、装置９００はまた時間コンポーネント９２２−７を有してもよい。時間コンポーネント９２２−７は、マネージメントオーソリティからの同期情報９５０に含まれる時間同期情報に基づき、第２無線装置又は第３無線装置の少なくとも１つと時間を同期させるため、回路により実行されてもよい。これらの具体例について、同期された時間は、メッシュネットワーク内でデータをルーティングするため、ＱｏＳ保証を充足するよう第１無線装置により利用されてもよい。
【００７６】
いくつかの具体例では、装置９００はまたリクエストコンポーネント９２２−８を有してもよい。リクエストコンポーネント９２２−８は、マネージメントオーソリティにより提供されるサービスに対するサービスリクエスト９５５に含まれるサービスリクエストを送信するため、回路により実行されてもよい。これらの具体例について、リクエストコンポーネント９２２−８は、遠隔測定コンポーネント９２２−５によりマネージメントオーソリティに送信される遠隔測定データの少なくとも一部に基づき、サービスリクエストレスポンス９６０においてレスポンスを受信してもよい。これらの具体例について、リクエストコンポーネント９２２−８は、何れのサービスがマネージメントオーソリティからリクエストされうるか判断するため、サービス合意９２２−８におけるサービス合意を維持又はアクセス可能であってもよい。サービス合意９２６−ｄは、リクエストコンポーネント９２２−８に維持又はアクセス可能なＬＵＴなどのデータ構造に配置されてもよい。
【００７７】
装置９００の各種コンポーネント及び装置９００を実現するデバイスは、各処理を連係させるため各種タイプの通信媒体により互いに通信接続されてもよい。当該連係は、情報の一方向又は双方向のやりとりに関するものであってもよい。例えば、コンポーネントは、通信媒体を介し通信される信号の形態により情報を通信してもよい。当該情報は、各種信号線に割り当てられる信号として実現可能である。このような割当てでは、各メッセージは信号である。しかしながら、更なる実施例は代わりにデータメッセージを利用してもよい。このようなデータメッセージは、各種接続を介し送信されてもよい。一例となる接続は、パラレルインタフェース、シリアルインタフェース及びバスインタフェースを含む。
【００７８】
図１０は、ロジックフロー１０００の具体例を示す。ロジックフロー１０００は、装置９００などのここに説明される１以上のロジック、機能又はデバイスにより実行される処理の一部又は全てを表すものであってもよい。より詳細には、ロジックフロー１０００は、確立コンポーネント９２２−１、アドレスコンポーネント９２２−２、遠隔測定コンポーネント９２２−５又はルートコンポーネント９２２−６により実現されてもよい。
【００７９】
図１０に示される図示された具体例では、ロジックフロー１０００は、ブロック１００２において、第１無線装置の回路において、第２アドホックＷＬＡＮ接続を介し第２無線装置に接続される第３無線装置を少なくとも有するメッシュネットワークに接続するため、第２無線装置との第１アドホックＷＬＡＮ接続を確立してもよい。これらの具体例について、確立コンポーネント９２２−１は第１アドホックＷＬＡＮ接続を確立してもよい。
【００８０】
いくつかの具体例によると、ロジックフロー１０００は、ブロック１００４において、第２無線装置又は第３無線装置の少なくとも１つを介しメッシュネットワークに接続されるＳＤＮのマネージメントオーソリティに遠隔測定データを通信するためのアドレス情報を受信してもよい。これらの具体例について、アドレスコンポーネント９２２−２はアドレス情報を受信してもよい。
【００８１】
いくつかの具体例では、ロジックフロー１０００は、ブロック１００６において、ネゴシエートされたセッションパラメータに基づきマネージメントオーソリティに遠隔測定データを送信してもよい。これらの具体例について、遠隔測定コンポーネント９２２−５は、遠隔測定データをマネージメントオーソリティに送信してもよい。
【００８２】
いくつかの具体例によると、ロジックフロー１０００は、ブロック１００８において、マネージメントオーソリティにより生成されるルーティングテーブルを受信してもよく、当該ルーティングテーブルは、遠隔測定データに少なくとも部分的に基づき、メッシュネットワーク内でデータをルーティングするため、又は第２若しくは第３無線装置を介しメッシュネットワークに接続される第１ネットワークにデータをルーティングするため、第１無線装置により利用される。これらの具体例について、ルートコンポーネント９２２−６はルーティングテーブルを受信してもよい。
【００８３】
図１１は、記憶媒体１１００の実施例を示す。記憶媒体１１００は、製造物から構成されてもよい。いくつかの具体例では、記憶媒体１１００は、光、磁気又は半導体ストレージなどの何れかの有形なコンピュータ可読媒体又はマシーン可読媒体を含むものであってもよい。記憶媒体１１００は、ロジックフロー１０００を実現するための命令などの各種タイプのコンピュータにより実行可能な命令を格納してもよい。コンピュータ可読又はマシーン可読記憶媒体の具体例は、揮発性メモリ若しくは不揮発性メモリ、着脱可能若しくは着脱不可なメモリ、消去可能若しくは消去不可なメモリ、書き換え可能若しくは書き換え不可なメモリなどを含む電子データを格納可能な何れかの有形な媒体を含むものであってもよい。コンピュータ実行可能な命令の具体例は、ソースコード、コンパイルされたコード、インタープリットされたコード、実行可能コード、スタティックコード、ダイナミックコード、オブジェクト指向コード、ビジュアルコードなどの何れか適切なタイプのコードを含むものであってもよい。具体例はこれに限定されるものでない。
【００８４】
図１２は、一例となる計算プラットフォーム１２００を示す。いくつかの具体例では、図１２に示されるように、計算プラットフォーム１２００は、処理コンポーネント１２４０、他のプラットフォームコンポーネント又は通信インタフェース１２６０を有してもよい。いくつかの具体例によると、計算プラットフォーム１２００は、上述したようなＳＤＮのサーバの一部であってもよい。
【００８５】
いくつかの具体例によると、処理コンポーネント１２４０は、装置６００及び／又は記憶媒体８００の処理演算又はロジックを実行してもよい。処理コンポーネント１２４０は、各種ハードウェア要素、ソフトウェア要素又は双方の組み合わせを含むものであってもよい。ハードウェア要素の具体例は、デバイス、ロジックデバイス、コンポーネント、プロセッサ、マイクロプロセッサ、回路、プロセッサ回路、回路要素（トランジスタ、レジスタ、キャパシタ、インダクタなど）、集積回路、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＰＬＤ（Ｐｒｏｇｒａｍｍａｂｌｅ  Ｌｏｇｉｃ  Ｄｅｖｉｃｅ）、ＤＳＰ（Ｄｉｇｉｔａｌ  Ｓｉｇｎａｌ  Ｐｒｏｃｅｓｓｏｒ）、ＦＰＧＡ（Ｆｉｅｌｄ  Ｐｒｏｇｒａｍｍａｂｌｅ  Ｇａｔｅ  Ａｒｒａｙ）、メモリユニット、ロジックゲート、レジスタ、半導体デバイス、チップ、マイクロチップ、チップセットなどを含むものであってもよい。ソフトウェア要素の具体例は、ソフトウェアコンポーネント、プログラム、アプリケーション、コンピュータプログラム、アプリケーションプログラム、デバイスドライバ、システムプログラム、ソフトウェア開発プログラム、マシーンプログラム、オペレーティングシステムソフトウェア、ミドルウェア、ファームウェア、ソフトウェアコンポーネント、ルーチン、サブルーチン、ファンクション、メソッド、プロシージャ、ソフトウェアインタフェース、アプリケーションプログラムインタフェース（ＡＰＩ）、命令セット、計算コード、コンピュータコード、コードセグメント、コンピュータコードセグメント、ワード、値、シンボル又はこれらの何れかの組み合わせを含むものであってもよい。ハードウェア要素及び／又はソフトウェア要素を用いて具体例が実現されるかの判断は、所与の具体例について所望されるような所望の計算レート、パワーレベル、熱耐性、処理サイクルバジェット、入力データレート、出力データレート、メモリリソース、データバススピード及び他の設計若しくはパフォーマンス制約などの何れかの個数のファクタに従って変更されてもよい。
【００８６】
いくつかの具体例では、他のプラットフォームコンポーネント１２５０は、１以上のプロセッサ、マルチコアプロセッサ、コプロセッサ、メモリユニット、チップセット、コントローラ、周辺装置、インタフェース、オシレータ、タイミングデバイス、ビデオカード、オーディオカード、マルチメディア入出力（Ｉ／Ｏ）コンポーネント（デジタルディスプレイなど）、電源などの通常の計算要素を含むものであってもよい。メモリユニットの具体例は、限定することなく、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＤＲＡＭ（Ｄｙｎａｍｉｃ  ＲＡＭ）、ＤＤＲＡＭ（Ｄｏｕｂｌｅ−Ｄａｔａ−Ｒａｔｅ  ＤＲＡＭ）、ＳＤＲＡＭ（Ｓｙｎｃｈｒｏｎｏｕｓ  ＤＲＡＭ）、ＳＲＡＭ（Ｓｔａｔｉｃ  ＲＡＭ）、ＰＲＯＭ（Ｐｒｏｇｒａｍｍａｂｌｅ  ＲＯＭ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｒｉｃａｌｌｙ  ＥＰＲＯＭ）、フラッシュメモリ、強誘電ポリマメモリなどのポリマメモリ、オボニックメモリ、相変化若しくは強誘電メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、磁気若しくは光カード、ＲＡＩＤ（Ｒｅｄｕｎｄａｎｔ  Ａｒｒａｙ  ｏｆ  Ｉｎｄｅｐｅｎｄｅｎｔ  Ｄｉｓｋ）ドライブなどのデバイスアレイ、ソリッドステートメモリデバイス（ＵＳＢメモリなど）、ソリッドステートドライブ（ＳＳＤ）及び情報を格納するのに適した他の何れかのタイプの記憶媒体など、１以上の高速メモリユニットの形態による各種タイプのコンピュータ可読及びマシーン可読記憶媒体を含むものであってもよい。
【００８７】
いくつかの具体例では、通信インタフェース１２６０は、通信インタフェースをサポートするためのロジック及び／又は機能を有してもよい。これらの具体例について、通信インタフェース１２６０は、ダイレクト又はネットワーク通信リンクを介し通信するため、各種通信プロトコル又は規格に従って動作する１以上の通信インタフェースを有してもよい。ダイレクト通信は、ＳＭＢｕｓ仕様書又はＰＣＩ  Ｅｘｐｒｅｓｓ仕様書に関するものなど１以上の工業規格（後継及び変形を含む）に記載される通信プロトコル又は規格の利用を介して行われてもよい。ネットワーク通信は、ＩＥＥＥにより公表された１以上のイーサネット（登録商標）規格に記載されるものなどの通信プロトコル又は規格の利用を介して行われてもよい。例えば、このような１つのイーサネット規格は、２００８年１２月に公開されたＩＥＥＥ８０２．３−２００８，Ｃａｒｒｉｅｒ  ｓｅｎｓｅ  Ｍｕｌｔｉｐｌｅ  ａｃｃｅｓｓ  ｗｉｔｈ  Ｃｏｌｌｉｓｉｏｎ  Ｄｅｔｅｃｔｉｏｎ（ＣＳＭＡ／ＣＤ）  Ａｃｃｅｓｓ  Ｍｅｔｈｏｄ  ａｎｄ  Ｐｈｙｓｉｃａｌ  Ｌａｙｅｒ  Ｓｐｅｃｉｆｉｃａｔｉｏｎｓ（以降、“ＩＥＥＥ８０２．３”）を含むものであってもよく、他の規格はＩＥＥＥ８０２．１１−２０１２を含むものであってもよい。通信プロトコルはまた、ＬＴＥ−Ａを含む３ＧＰＰ  ＬＴＥ規格などの他の規格に関するものを含むものであってもよい。
【００８８】
計算プラットフォーム１２００は、例えば、サーバ、サーバアレイ若しくはサーバファーム、ウェブサーバ、ネットワークサーバ、インターネットサーバ、分散計算システム、マイクロプロセッサシステム、プロセッサベースシステム又はこれらの組み合わせなどであってもよい計算装置の一部であってもよい。従って、ここに説明される計算プラットフォーム１２００の機能及び／又は特定の構成は、適切に所望されるような計算プラットフォーム１２００の各種実施例に含まれてもよく、又は省略されてもよい。
【００８９】
計算プラットフォーム１２００のコンポーネント及び機能は、離散的回路、ＡＳＩＣ、ロジックゲート及び／又は単一のチップアーキテクチャの何れかの組み合わせを用いて実現されてもよい。さらに、計算プラットフォーム１２００の機能は、マイクロコントローラ、プログラマブルロジックアレイ及び／又はマイクロプロセッサ又は適切である場合には上記の何れかの組み合わせを用いて実現されてもよい。ハードウェア、ファームウェア及び／又はソフトウェア要素は、ここで“ロジック”又は“回路”としてまとめて又は個別に参照されてもよいことに留意されたい。
【００９０】
図１２のブロック図に示される一例となる計算プラットフォーム１２００は多数の可能性のある実現形態の１つの機能的に記述した具体例を表すことが理解されるべきである。従って、添付した図面に示されるブロック機能の分割、省略又は包含は、これらの機能を実現するためのハードウェアコンポーネント、回路、ソフトウェア及び／又は要素が必ずしも実施例において分割、省略又は包含されることを暗示するものでない。
【００９１】
図１３は、メッシュネットワークに接続するため無線装置に利用されるデバイス１３００の実施例を示す。デバイス１３００は、例えば、装置９００、記憶媒体１１００及び／又はロジック回路１３７０などを実現してもよい。ロジック回路１３７０は、装置９００について説明した処理を実行するための物理的回路を含むものであってもよい。図１３に示されるように、具体例はこの構成に限定されるものでないが、デバイス１３００は、無線インタフェース１３１０、ベースバンド回路１３２０及び計算プラットフォーム１３３０を含むものであってもよい。
【００９２】
デバイス１３００は、完全に単一のデバイス内など、単一の計算エンティティにおける装置９００、記憶媒体１１００及び／又はロジック回路１３７０の構成及び／又は処理の一部又は全てを実現してもよい。あるいは、デバイス１３００は、クライアントサーバアーキテクチャ、３層アーキテクチャ、Ｎ層アーキテクチャ、タイトに接続された又はクラスタ化されたアーキテクチャ、ピア・ツー・ピアアーキテクチャ、マスタスレーブアーキテクチャ、共有データベースアーキテクチャ及び他のタイプの分散システムなどの分散システムアーキテクチャを用いて複数の計算エンティティにわたって、装置９００、記憶媒体１１００及び／ロジック回路１３７０の構成及び／又は処理の各部分を分散してもよい。具体例はこれに限定されるものでない。
【００９３】
一実施例では、無線インタフェース１３１０は、実施例は何れか特定の無線インタフェース又は変調方式に限定されるものでないが、シングルキャリア又はマルチキャリア変調信号（例えば、ＣＣＫ（Ｃｏｍｐｌｅｍｅｎｔａｒｙ  Ｃｏｄｅ  Ｋｅｙｉｎｇ）及び／又はＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル及び／又はＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｔｉｐｌｅｘｉｎｇ）シンボルなどを含む）を送信及び／又は受信するよう構成されるコンポーネント又はコンポーネントの組み合わせを含むものであってもよい。無線インタフェース１３１０は、例えば、受信機１３１２、送信機１３１６及び／又は周波数シンセサイザ１３１４などを含むものであってもよい。無線インタフェース１３１０は、バイアスコントロール、水晶オシレータ及び／又は１以上のアンテナ１３１５−ｆを有してもよい。他の実施例では、所望されるような無線インタフェース１３１０は、外部の電圧制御オシレータ（ＶＣＯ）、表面音響波フィルタ、中間周波数（ＩＦ）フィルタ及び／又はＲＦフィルタを利用してもよい。可能なＲＦインタフェースの設計の多様性のため、これの拡張的な説明は省略される。
【００９４】
ベースバンド回路１３２０は、例えば、受信信号をダウン変換するためのアナログ・デジタルコンバータ１３２２、受信及び／又は送信信号を処理するため、無線インタフェース１３１０と通信し、送信信号をアップ変換するためのデジタル・アナログコンバータ１３２４などを含むものであってもよい。さらに、ベースバンド回路１３２０は、各受信／送信信号のＰＨＹリンクレイヤ処理のためのベースバンド又は物理レイヤ（ＰＨＹ）処理回路１３２６を有してもよい。ベースバンド回路１３２０は、例えば、ＭＡＣ（Ｍｅｄｉｕｍ  Ａｃｃｅｓｓ  Ｃｏｎｔｒｏｌ）／データリンクレイヤ処理のための処理回路１３２８などを有してもよい。ベースバンド回路１３２０は、例えば、１以上のインタフェース１３３４を介しＭＡＣ処理回路１３２８及び／又は計算プラットフォーム１３３０と通信するためのメモリコントローラ１３３２を有してもよい。
【００９５】
一部の実施例では、ＰＨＹ処理回路１３２６は、通信フレーム（サブフレームなどを含む）を構成及び／又は分解するため、バッファメモリなどの更なる回路と共にフレーム構成及び／又は検出モジュールを有してもよい。あるいは又はさらに、ＭＡＣ処理回路１３２８は、これらの機能の特定のものについて処理を共有し、又はＰＨＹ処理回路１３２６から独立してこれらの処理を実行してもよい。一部の実施例では、ＭＡＣ及びＰＨＹ処理は、単一の回路に統合されてもよい。
【００９６】
計算プラットフォーム１３３０は、デバイス１３００の計算機能を提供してもよい。図示されるように、計算プラットフォーム１３３０は、処理コンポーネント１３４０を有してもよい。さらに又は代わりに、デバイス１３００のベースバンド回路１３２０は、処理コンポーネント１３３０を用いて装置９００、記憶媒体１１００及びロジック回路１３７０の処理演算又はロジックを実行してもよい。処理コンポーネント１３４０（及び／又はＰＨＹ１３２６及び／又はＭＡＣ１３２８）は、各種ハードウェア要素、ソフトウェア要素又は双方の組み合わせを有してもよい。ハードウェア要素の具体例は、デバイス、ロジックデバイス、コンポーネント、プロセッサ、マイクロプロセッサ、回路、プロセッサ回路（回路９２０など）、回路要素（トランジスタ、レジスタ、キャパシタ、インダクタなど）、集積回路、ＡＳＩＣ、ＰＬＤ、ＤＳＰ、ＦＰＧＡ、メモリユニット、ロジックゲート、レジスタ、半導体デバイス、チップ、マイクロチップ、チップセットなどを含むものであってもよい。ソフトウェア要素の具体例は、ソフトウェアコンポーネント、プログラム、アプリケーション、コンピュータプログラム、アプリケーションプログラム、システムプログラム、ソフトウェア開発プログラム、マシーンプログラム、オペレーティングシステムソフトウェア、ミドルウェア、ファームウェア、ソフトウェアモジュール、ルーチン、サブルーチン、ファンクション、メソッド、プロシージャ、ソフトウェアインタフェース、ＡＰＩ、命令セット、計算コード、コンピュータコード、コードセグメント、コンピュータコードセグメント、ワード、値、シンボル又はこれらの何れかの組み合わせを含むものであってもよい。具体例がハードウェア要素及び／又はソフトウェア要素を用いて実現されるかの判断は、所与の具体例について所望されるように、所望の計算レート、パワーレベル、熱耐性、処理サイクルバジェット、入力データレート、出力データレート、メモリリソース、データバススピード及び他の設計又はパフォーマンス制約などの何れかの個数のファクタに従って変更されてもよい。
【００９７】
計算プラットフォーム１３３０は更に、他のプラットフォームコンポーネント１３５０を有してもよい。他のプラットフォームコンポーネント１３５０は、１以上のプロセッサ、マルチコアプロセッサ、コプロセッサ、メモリユニット、チップセット、コントローラ、周辺装置、インタフェース、オシレータ、タイミングデバイス、ビデオカード、オーディオカード、マルチメディア入出力（Ｉ／Ｏ）コンポーネント（デジタルディスプレイなど）、電源などの通常の計算要素を有する。メモリユニットの具体例は、限定することなく、ＲＯＭ（Ｒｅａｄ−Ｏｎｌｙ  Ｍｅｍｏｒｙ）、ＲＡＭ（Ｒａｎｄｏｍ−Ａｃｃｅｓｓ  Ｍｅｍｏｒｙ）、ＤＲＡＭ（Ｄｙｎａｍｉｃ  ＲＡＭ）、ＤＤＲＡＭ（Ｄｏｕｂｌｅ−Ｄａｔａ−Ｒａｔｅ  ＤＲＡＭ）、ＳＤＲＡＭ（Ｓｙｎｃｈｒｏｎｏｕｓ  ＤＲＡＭ）、ＳＲＡＭ（Ｓｔａｔｉｃ  ＲＡＭ）、ＰＲＯＭ（Ｐｒｏｇｒａｍｍａｂｌｅ  ＲＯＭ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｒｉｃａｌｌｙ  ＥＰＲＯＭ）、フラッシュメモリ、強誘電ポリマメモリなどのポリマメモリ、オボニックメモリ、相変化若しくは強誘電メモリ、ＳＯＮＯＳ（Ｓｉｌｉｃｏｎ−Ｏｘｉｄｅ−Ｎｉｔｒｉｄｅ−Ｏｘｉｄｅ−Ｓｉｌｉｃｏｎ）メモリ、磁気若しくは光カード、ＲＡＩＤ（Ｒｅｄｕｎｄａｎｔ  Ａｒｒａｙ  ｏｆ  Ｉｎｄｅｐｅｎｄｅｎｔ  Ｄｉｓｋ）ドライブなどのデバイスアレイ、ソリッドステートメモリデバイス（ＵＳＢメモリなど）、ソリッドステートドライブ（ＳＳＤ）及び情報を格納するのに適した他の何れかのタイプの記憶媒体など、１以上の高速メモリユニットの形態による各種タイプのコンピュータ可読及びマシーン可読記憶媒体を含むものであってもよい。
【００９８】
計算プラットフォーム１３３０は更に、ネットワークインタフェース１３６０を有してもよい。いくつかの具体例では、ネットワークインタフェース１３６０は、１以上の３ＧＰＰ  ＬＴＥ又はＬＴＥ−Ａ仕様書又は規格に記載されるようなＸ２、Ｓ１−ＭＭＥ又はＳ１−Ｕインタフェースをサポートするためのロジック及び／又は機能を有してもよい。これらの具体例について、ネットワークインタフェース１３６０は、ｅＮＢ、ＭＭＥ又はＳＷＧに配置される装置１３００がバックホール、制御プレーン又はユーザプレーンチャネルを介し通信接続することを可能にしてもよい。他のいくつかの具体例では、ネットワークインタフェース１３６０は、１以上の３ＧＰＰ  ＬＴＥ又はＬＴＥ−Ａ仕様書若しくは規格及び／又はＩＥＥＥ８０２．１１−２１０２規格に記載される他の通信インタフェースをサポートするためのロジック及び／又は機能を有してもよい。これらの具体例について、ネットワークインタフェース１３６０は、無線装置と共に配置される装置９００が無線通信リンクを介し１以上の他の無線装置、ＳＤＮ又は外部ネットワークに通信接続することを可能にしてもよい。
【００９９】
デバイス１３００は、例えば、ユーザ装置、コンピュータ、パーソナルコンピュータ（ＰＣ）、デスクトップコンピュータ、ラップトップコンピュータ、ウルトラブックコンピュータ、スマートフォン、タブレットコンピュータ、ノートブックコンピュータ、ネットブックコンピュータ、無線アクセスポイント又はこれらの組み合わせであってもよい。従って、ここに説明されるデバイス１３００の機能及び／又は特定の構成は、適切に所望されるように、デバイス１３００の各種実施例に含まれるか、又は省略されてもよい。一部の実施例では、デバイス１３００は、具体例はこれに限定されるものでないが、ＷＬＡＮ、ＷＭＡＮ及び／又は他のタイプの無線ネットワークの３ＧＰＰ  ＬＴＥ仕様書及び／又はＩＥＥＥ８０２．１１−２０１２規格の１以上の関連するプロトコル及び周波数に互換的となるよう構成されてもよい。
【０１００】
デバイス１３００の実施例は、ＳＩＳＯ（Ｓｉｎｇｌｅ  Ｉｎｐｕｔ  Ｓｉｎｇｌｅ  Ｏｕｔｐｕｔ）アーキテクチャを用いて実現されてもよい。しかしながら、特定の実現形態は、ビームフォーミング若しくはＳＤＭＡ（Ｓｐａｔｉａｌ  Ｄｉｖｉｓｉｏｎ  Ｍｕｌｔｉｐｌｅ  Ａｃｃｅｓｓ）のための適応的アンテナ技術を利用して、及び／又はＭＩＭＯ（Ｍｕｌｔｉｐｌｅ  Ｉｎｐｕｔ  Ｍｕｌｔｉｐｌｅ  Ｏｕｔｐｕｔ）通信技術を利用して、送信及び／又は受信のため複数のアンテナ（アンテナ１３１５−ｆなど）を有してもよい。
【０１０１】
デバイス１３００のコンポーネント及び機能は、離散的回路、ＡＳＩＣ、ロジックゲート及び／又はシングルチップアーキテクチャの何れかの組み合わせを用いて実現されてもよい。さらに、デバイス１３００の機能は、適切である場合、マイクロコントローラ、プログラマブルロジックアレイ及び／若しくはマイクロプロセッサ又は上記の何れかの組み合わせを用いて実現されてもよい。ハードウェア、ファームウェア及び／又はソフトウェア要素は、“ロジック”又は“回路”としてここでまとめて又は個別に参照されてもよいことに留意されたい。
【０１０２】
図１３のブロック図に示される一例となるデバイス１３００は多数の可能性のある実現形態の１つの機能的に説明した具体例を表すものであってもよいことが理解されるべきである。従って、添付した図面に示されるブロックの機能の分割、省略又は包含は、これらの機能を実現するためのハードウェアコンポーネント、回路、ソフトウェア及び／又は要素が具体例において必ずしも分割、省略又は包含される必要があると暗示していない。
【０１０３】
いくつかの具体例は、“一具体例では”又は“具体例”という表現と共にこれらの派生語とを用いて説明されてもよい。これらの用語は、具体例に関連して説明される特定の機能、構成又は特性が少なくとも１つの具体例に含まれることを意味する。明細書の各所における“一具体例では”というフレーズの出現は、必ずしも全てが同一の具体例を参照しているとは限らない。
【０１０４】
いくつかの具体例は、その派生語と共に“結合”、“接続”又は“結合可能”という表現を用いて説明されてもよい。これらの用語は、必ずしも互いに同義的であることを意図するとは限らない。例えば、“接続”及び／又は“結合”という用語を用いた説明は、２以上の要素が互いに直接的な物理的又は電気的接触状態にあることを示すものであってもよい。しかしながら、“結合”という用語はまた、２以上の要素が互いに直接的には接触せず、依然として互いに連係又はやりとりすることを意味してもよい。
【０１０５】
以下の具体例は、ここに開示された技術の更なる具体例に関する。
【０１０６】
具体例１．ＳＤＮのマネージメントオーソリティのための一例となる装置は回路を有してもよい。当該装置はまた、無線装置の間の１以上のアドホックＷＬＡＮ接続を有するメッシュネットワークにおいて一緒に接続される無線装置から遠隔測定データを受信するよう回路により実行される受信コンポーネントを有してもよい。メッシュネットワークは、無線装置の少なくとも１つを介しマネージメントオーソリティに接続されてもよい。当該装置はまた、遠隔測定データに少なくとも部分的に基づき１以上のアドホックＷＬＡＮ接続を介した１以上のパスを規定するためのルーティングテーブルを生成するよう回路により実行されるテーブルコンポーネントを有してもよい。当該装置はまた、メッシュネットワーク内でデータをルーティングするため、又はメッシュネットワークに接続される第１ネットワークにデータをルーティングするため利用されるルーティングテーブルをメッシュネットワークに接続される少なくとも１つの無線装置に送信するよう回路により実行される送信コンポーネントを有してもよい。
【０１０７】
具体例２．具体例１の装置であって、遠隔測定データは、無線装置の物理的位置、無線装置の何れが第１ネットワークに接続しているか、又はマネージメントオーソリティに接続しているかの通知、無線装置の移動情報のレート及び方向、無線装置の電源若しくはバッテリ情報、メッシュネットワークの内部若しくは外部にデータをルーティングするため各無線装置により利用される各自の処理ワークロード、又は各無線装置の各自のＱｏＳ保証の少なくとも１つを含むものであってもよい。
【０１０８】
具体例３．具体例２の装置であって、テーブルコンポーネントは、メッシュネットワークの内部又は外部にデータをルーティングするために無線装置のそれぞれにより利用される各自の処理ワークロードをテーブルコンポーネントがバランスさせることを含む公平性スキームに基づきルーティングテーブルを生成してもよい。
【０１０９】
具体例４．具体例３の装置であって、各自の処理ワークロードをバランスさせることは、各無線装置がメッシュネットワークの内部又は外部にデータをルーティングするための全体的な処理ワークロードの実質的に等しい部分を共有することに基づきバランスさせることを含むものであってもよい。
【０１１０】
具体例５．具体例２の装置であって、テーブルコンポーネントは、丘、山、植被、建物、橋、道路、鉄道又はトンネルを含む無線装置の物理的位置の物理的な地形特性を示す情報に基づきルーティングテーブルを生成してもよい。
【０１１１】
具体例６．具体例２の装置であって、テーブルコンポーネントは、ネットワークアップリンク接続を介し第１ネットワーク又はＳＤＮに接続される無線装置からの１以上の無線装置の物理的位置に基づきルーティングテーブルを生成してもよい。
【０１１２】
具体例７．具体例２の装置であって、遠隔測定データは、無線装置のそれぞれの各自のＱｏＳ保証を含む。これらの具体例について、当該装置は更に、
無線装置のそれぞれの各自のＱｏＳ保証を充足することを実現するため、無線装置の間の時間を同期させるよう回路により実行される同期コンポーネントを有してもよい。
【０１１３】
具体例８．具体例１の装置であって、受信コンポーネントは、無線装置から受信した遠隔測定データの頻度及びコンテンツを決定する１以上のネゴシエートされたセッションパラメータに従って遠隔測定データを受信してもよい。
【０１１４】
具体例９．具体例１の装置はまた、無線装置からの無線装置が、無線装置から受信した遠隔測定データに基づきルーティングテーブルを生成する前に、マネージメントオーソリティとのサービス合意を有しているか検証するよう回路により実行される検証コンポーネントを有してもよい。当該装置はまた、マネージメントオーソリティとのサービス合意を有する所与の無線装置の識別情報に一致した無線装置の識別情報を認証するよう回路により実行される認証コンポーネントを有してもよい。本例について、テーブルコンポーネントは、サービス合意の検証と無線装置の認証とに基づき無線装置からの遠隔測定データによって又はなしにルーティングテーブルを生成してもよい。
【０１１５】
具体例１０．具体例１の装置であって、マネージメントオーソリティは、ＳＤＮのサーバに配置されてもよい。本例について、マネージメントオーソリティは、ルーティングテーブルの生成を介しメッシュネットワークの制御プレーンを提供可能であってもよい。
【０１１６】
具体例１１．具体例１０の装置であって、マネージメントオーソリティはまた、各無線装置がメッシュネットワーク又はＳＤＮにアクセスするための中央認証検証制御又はメッシュネットワークを介しルーティングされるデータのウイルススキャニングを含む１以上のマネージメント機能を介し制御プレーンを提供可能であってもよい。
【０１１７】
具体例１２．具体例１の装置はまた、無線装置からの無線装置からサービスに対するリクエストを受信し、無線装置から受信した遠隔測定データの少なくとも一部に基づきリクエストを実現するよう回路により実行されるサービスコンポーネントを有してもよい。
【０１１８】
具体例１３．具体例１２の装置であって、遠隔測定データは、無線装置の物理的位置を含み、サービスは、無線装置のバッテリを充電するための充電位置、無線装置が所与の物理的位置に到達するため移動する表面ルート、又は無線装置の物理的位置の最も近くにある駐車場の物理的位置の特定を含むものであってもよい。
【０１１９】
具体例１４．具体例１の装置であって、受信コンポーネントは、メッシュネットワークにおいて一緒に接続される無線装置から更新された遠隔測定データを受信してもよい。テーブルコンポーネントは、その後、更新された遠隔測定データに基づき更新されたルーティングテーブルを生成してもよい。送信コンポーネントは、その後、メッシュネットワーク内でデータをルーティングするため、又はメッシュネットワークに接続される第１ネットワークにデータをルーティングするため利用される更新されたルーティングテーブルをメッシュネットワークに接続される少なくとも１つの無線装置に送信してもよい。
【０１２０】
具体例１５．具体例１の装置であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１２１】
具体例１６．一例となる方法は、ＳＤＮのマネージメントオーソリティにおいて遠隔測定データを受信することを含むものであってもよい。遠隔測定データは、無線装置の間の１以上のアドホックＷＬＡＮ接続を有するメッシュネットワークにおいて一緒に接続される無線装置から受信されてもよい。当該方法はまた、遠隔測定データに少なくとも部分的に基づき１以上のアドホックＷＬＡＮ接続を介した１以上のパスを規定するためのルーティングテーブルを生成することを含むものであってもよい。当該方法はまた、メッシュネットワーク内でデータをルーティングするため、又はメッシュネットワークに接続される第１ネットワークにデータをルーティングするため利用されるルーティングテーブルをメッシュネットワークに接続される少なくとも１つの無線装置に送信することを含むものであってもよい。
【０１２２】
具体例１７．具体例１６の方法であって、遠隔測定データは、無線装置の物理的位置、無線装置の何れが第１ネットワークに接続しているか、又はマネージメントオーソリティに接続しているかの通知、無線装置の移動情報のレート及び方向、無線装置の電源若しくはバッテリ情報、メッシュネットワークの内部若しくは外部にデータをルーティングするため各無線装置により利用される各自の処理ワークロード、又は各無線装置の各自のＱｏＳ保証の少なくとも１つを含むものであってもよい。
【０１２３】
具体例１８．具体例１７の方法であって、ルーティングテーブルを生成するステップは、メッシュネットワークの内部又は外部にデータをルーティングするために無線装置のそれぞれにより利用される各自の処理ワークロードをバランスさせることを含む公平性スキームに基づくものであってもよい。
【０１２４】
具体例１９．具体例１８の方法であって、各自の処理ワークロードをバランスさせることは、各無線装置がメッシュネットワークの内部又は外部にデータをルーティングするための全体的な処理ワークロードの実質的に等しい部分を共有することに基づきバランスさせることを含むものであってもよい。
【０１２５】
具体例２０．具体例１７の方法であって、ルーティングテーブルは、丘、山、植被、建物、橋、道路、鉄道又はトンネルを含む無線装置の物理的位置の物理的な地形特性を示す情報に基づき生成されてもよい。
【０１２６】
具体例２１．具体例１７の方法であって、ルーティングテーブルは、ネットワークアップリンク接続を介し第１ネットワーク又はＳＤＮに接続される無線装置からの１以上の無線装置の物理的位置に基づき生成されてもよい。
【０１２７】
具体例２２．具体例１７の方法であって、遠隔測定データは、無線装置のそれぞれの各自のＱｏＳ保証を含むものであってもよい。本例について、当該方法は更に、無線装置のそれぞれの各自のＱｏＳ保証を充足することを実現するため、無線装置の間の時間を同期させるステップを有してもよい。
【０１２８】
具体例２３．具体例１６の方法であって、遠隔測定データは、無線装置から受信した遠隔測定データの頻度及びコンテンツを決定する１以上のネゴシエートされたセッションパラメータに従って受信されてもよい。
【０１２９】
具体例２４．具体例１６の方法はまた、無線装置からの無線装置が、無線装置から受信した遠隔測定データに基づきルーティングテーブルを生成する前に、マネージメントオーソリティとのサービス合意を有しているか検証するステップを有してもよい。当該方法はまた、マネージメントオーソリティとのサービス合意を有する所与の無線装置の識別情報に一致した無線装置の識別情報を認証するステップを有してもよい。本方法はまた、サービス合意の検証と無線装置の認証とに基づき無線装置からの遠隔測定データによって又はなしにルーティングテーブルを生成するステップを有してもよい。
【０１３０】
具体例２５．具体例１６の方法であって、マネージメントオーソリティは、ＳＤＮのサーバに配置されてもよい。本例について、マネージメントオーソリティは、ルーティングテーブルの生成を介しメッシュネットワークの制御プレーンを提供可能であってもよい。
【０１３１】
具体例２６．具体例２５の方法であって、マネージメントオーソリティはまた、各無線装置がメッシュネットワーク又はＳＤＮにアクセスするための中央認証検証制御又はメッシュネットワークを介しルーティングされるデータのウイルススキャニングを含む１以上のマネージメント機能を介し制御プレーンを提供可能であってもよい。
【０１３２】
具体例２７．具体例１５の方法はまた、無線装置からの無線装置からサービスに対するリクエストを受信するステップを有してもよい。当該方法はまた、無線装置から受信した遠隔測定データの少なくとも一部に基づきリクエストを実現するステップを有してもよい。
【０１３３】
具体例２８．具体例２７の方法であって、遠隔測定データは、無線装置の物理的位置を含み、サービスは、無線装置のバッテリを充電するための充電位置、無線装置が所与の物理的位置に到達するため移動する表面ルート、又は無線装置の物理的位置の最も近くにある駐車場の物理的位置の特定を含むものであってもよい。
【０１３４】
具体例２９．具体例１６の方法はまた、メッシュネットワークにおいて一緒に接続される無線装置から更新された遠隔測定データを受信するステップを有してもよい。当該方法はまた、更新された遠隔測定データに基づき更新されたルーティングテーブルを生成するステップを有してもよい。当該方法はまた、メッシュネットワーク内でデータをルーティングするため、又はメッシュネットワークに接続される第１ネットワークにデータをルーティングするため利用される更新されたルーティングテーブルをメッシュネットワークに接続される少なくとも１つの無線装置に送信するステップを有してもよい。
【０１３５】
具体例３０．具体例１６の方法であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１３６】
具体例３１．少なくとも１つのマシーン可読媒体は、ＳＤＮのサーバにおけるシステム上で実行されることに応答して、システムに具体例１６〜３０の何れか１つによる方法を実行させる複数の命令を有する。
【０１３７】
具体例３２．装置は、具体例１６〜３０の何れか１つの方法を実行する手段を有する。
【０１３８】
具体例３３．少なくとも１つのマシーン可読媒体は、ＳＤＮのサーバにおけるシステム上で実行されることに応答して、システムにＳＤＮのマネージメントオーソリティにおいて遠隔測定データを受信させる複数の命令を有する。遠隔測定データは、無線装置の間の１以上のアドホックＷＬＡＮ接続を有するメッシュネットワークにおいて一緒に接続される無線装置から受信されてもよい。メッシュネットワークは、無線装置の少なくとも１つを介しマネージメントオーソリティに接続されてもよい。当該命令はまた、遠隔測定データに少なくとも部分的に基づき１以上のアドホックＷＬＡＮ接続を介した１以上のパスを規定するためのルーティングテーブルをシステムに生成させてもよい。当該命令はまた、システムにメッシュネットワーク内でデータをルーティングするため、又はメッシュネットワークに接続される第１ネットワークにデータをルーティングするため利用されるルーティングテーブルをメッシュネットワークに接続される少なくとも１つの無線装置に送信させてもよい。
【０１３９】
具体例３４．具体例３３の少なくとも１つのマシーン可読媒体であって、遠隔測定データは、無線装置の物理的位置、無線装置の何れが第１ネットワークに接続しているか、又はマネージメントオーソリティに接続しているかの通知、無線装置の移動情報のレート及び方向、無線装置の電源若しくはバッテリ情報、メッシュネットワークの内部若しくは外部にデータをルーティングするため各無線装置により利用される各自の処理ワークロード、又は各無線装置の各自のＱｏＳ保証の少なくとも１つを含むものであってもよい。
【０１４０】
具体例３５．具体例３４の少なくとも１つのマシーン可読媒体であって、ルーティングテーブルは、メッシュネットワークの内部又は外部にデータをルーティングするために無線装置のそれぞれにより利用される各自の処理ワークロードをバランスさせることを含む公平性スキームに基づき生成されてもよい。
【０１４１】
具体例３６．具体例３４の少なくとも１つのマシーン可読媒体であって、各自の処理ワークロードをバランスさせることは、各無線装置がメッシュネットワークの内部又は外部にデータをルーティングするための全体的な処理ワークロードの実質的に等しい部分を共有することに基づきバランスさせることを含むものであってもよい。
【０１４２】
具体例３７．具体例３４の少なくとも１つのマシーン可読媒体であって、ルーティングテーブルは、丘、山、植被、建物、橋、道路、鉄道又はトンネルを含む無線装置の物理的位置の物理的な地形特性を示す情報に基づき生成されてもよい。
【０１４３】
具体例３８．具体例３４の少なくとも１つのマシーン可読媒体であって、ルーティングテーブルは、ネットワークアップリンク接続を介し第１ネットワーク又はＳＤＮに接続される無線装置からの１以上の無線装置の物理的位置に基づき生成されてもよい。
【０１４４】
具体例３９．具体例３４の少なくとも１つのマシーン可読媒体であって、遠隔測定データは、無線装置のそれぞれの各自のＱｏＳ保証を含むものであってもよい。本例について、当該命令は更に、無線装置のそれぞれの各自のＱｏＳ保証を充足することを実現するため、無線装置の間の時間をシステムに同期させてもよい。
【０１４５】
具体例４０．具体例３３の少なくとも１つのマシーン可読媒体であって、遠隔測定データは、無線装置から受信した遠隔測定データの頻度及びコンテンツを決定する１以上のネゴシエートされたセッションパラメータに従って受信されてもよい。
【０１４６】
具体例４１．具体例３３の少なくとも１つのマシーン可読媒体はまた、無線装置からの無線装置が、無線装置から受信した遠隔測定データに基づきルーティングテーブルを生成する前に、マネージメントオーソリティとのサービス合意を有しているかシステムに検証させてもよい。当該命令はまた、マネージメントオーソリティとのサービス合意を有する所与の無線装置の識別情報に一致した無線装置の識別情報をシステムに認証させてもよい。本命令はまた、サービス合意の検証と無線装置の認証とに基づき無線装置からの遠隔測定データによって又はなしにルーティングテーブルをシステムに生成させてもよい。
【０１４７】
具体例４２．具体例３３の少なくとも１つのマシーン可読媒体であって、マネージメントオーソリティは、ＳＤＮのサーバに配置されてもよい。本例について、マネージメントオーソリティは、ルーティングテーブルの生成を介しメッシュネットワークの制御プレーンを提供可能であってもよい。
【０１４８】
具体例４３．具体例４２の少なくとも１つのマシーン可読媒体であって、マネージメントオーソリティはまた、各無線装置がメッシュネットワーク又はＳＤＮにアクセスするための中央認証検証制御又はメッシュネットワークを介しルーティングされるデータのウイルススキャニングを含む１以上のマネージメント機能を介し制御プレーンを提供可能であってもよい。
【０１４９】
具体例４４．具体例３３の少なくとも１つのマシーン可読媒体であって、当該命令はまた、無線装置からの無線装置からサービスに対するリクエストをシステムに受信させ、無線装置から受信した遠隔測定データの少なくとも一部に基づきリクエストをシステムに実現させてもよい。
【０１５０】
具体例４５．具体例４４の少なくとも１つのマシーン可読媒体であって、遠隔測定データは、無線装置の物理的位置を含み、サービスは、無線装置のバッテリを充電するための充電位置、無線装置が所与の物理的位置に到達するため移動する表面ルート、又は無線装置の物理的位置の最も近くにある駐車場の物理的位置の特定を含むものであってもよい。
【０１５１】
具体例４６．具体例３３の少なくとも１つのマシーン可読媒体であって、当該命令はまた、メッシュネットワークにおいて一緒に接続される無線装置から更新された遠隔測定データをシステムに受信させてもよい。当該命令はまた、更新された遠隔測定データに基づき更新されたルーティングテーブルをシステムに生成させてもよい。当該命令はまた、システムにメッシュネットワーク内でデータをルーティングするため、又はメッシュネットワークに接続される第１ネットワークにデータをルーティングするため利用される更新されたルーティングテーブルをメッシュネットワークに接続される少なくとも１つの無線装置に送信させてもよい。
【０１５２】
具体例４７．具体例３３の少なくとも１つのマシーン可読媒体であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１５３】
具体例４８．第１無線装置のための一例となる装置は回路を有してもよい。当該装置はまた、第２無線装置との第１アドホックＷＬＡＮ接続を確立し、第２アドホックＷＬＡＮ接続を介し第２無線装置に接続される第３無線装置を少なくとも有するメッシュネットワークに接続するよう回路により実行される確立コンポーネントを有してもよい。当該装置はまた、第２無線装置又は第３無線装置の少なくとも１つを介しメッシュネットワークに接続されるＳＤＮのマネージメントオーソリティに遠隔測定データを通信するためのアドレス情報を受信するよう回路により実行されるアドレスコンポーネントを有してもよい。当該装置はまた、ネゴシエートされたセッションパラメータに基づきマネージメントオーソリティに遠隔測定データを送信するよう回路により実行される遠隔測定コンポーネントを有してもよい。当該装置はまた、遠隔測定データに少なくとも部分的に基づきマネージメントオーソリティにより生成されるルーティングテーブルを受信するよう回路により実行されるルートコンポーネントを有してもよい。本例について、ルーティングテーブルは、遠隔測定データに少なくとも部分的に基づき、メッシュネットワーク内でデータをルーティングするか、又は第１、第２又は第３無線装置を介しメッシュネットワークに接続される第１ネットワークにデータをルーティングするため第１無線装置により利用されてもよい。
【０１５４】
具体例４９．具体例４８の装置であって、ネゴシエートされたセッションパラメータは、遠隔測定データを送信する頻度及び遠隔測定データのコンテンツを含むものであってもよい。
【０１５５】
具体例５０．具体例４９の装置であって、遠隔測定データのコンテンツは、第１無線装置の物理的位置、第１無線装置が第１ネットワーク又はＳＤＮに接続しているかの通知、第１無線装置の移動情報のレート及び方向、第１無線装置の電源若しくはバッテリ情報、メッシュネットワークの内部若しくは外部にデータをルーティングするため無線装置のそれぞれにより利用される処理ワークロード、又はメッシュネットワークの内部若しくは外部にデータをルーティングするため第１無線装置のＱｏＳ保証の少なくとも１つを含むものであってもよい。
【０１５６】
具体例５１．具体例４８の装置であって、第２無線装置は、ＳＤＮに接続されてもよい。遠隔測定コンポーネントは、遠隔測定データを第２無線装置に転送することによって遠隔測定データを送信し、第２無線装置は、第１無線装置からの遠隔測定データをマネージメントオーソリティに転送可能であってもよい。
【０１５７】
具体例５２．具体例４８の装置であって、確立コンポーネントは、第２又は第３無線装置との可能性のあるアドホック接続を特定するためメッシュネットワークをスキャンし、第２無線装置、第３無線装置又はメッシュネットワークを認証し、当該認証に基づき第２無線装置との第１アドホックＷＬＡＮ接続を確立することによって、第１アドホックＷＬＡＮ接続を確立してもよい。
【０１５８】
具体例５３．具体例４８の装置であって、確立コンポーネントによる第１アドホックＷＬＡＮ接続の確立後、第１無線装置から送信されるリクエストメッセージに応答して、アドレス情報が、第２無線装置又は第３無線装置からアドレスコンポーネントにより受信されてもよい。
【０１５９】
具体例５４．具体例４８の装置はまた、マネージメントオーソリティから発信される時間同期情報に基づき第２無線装置又は第３無線装置の少なくとも１つと時間を同期させるよう回路により実行される時間コンポーネントを有してもよい。本例について、同期した時間は、メッシュネットワーク内でデータをルーティングするため、ＱｏＳ保証を充足させるため第１無線装置により利用されてもよい。
【０１６０】
具体例５５．具体例４８の装置はまた、第１無線装置がマネージメントオーソリティとサービス合意を有するか判断するため、マネージメントオーソリティから検証リクエストを受信するよう回路により実行される検証コンポーネントを有してもよい。当該装置はまた、検証リクエストに応答して、識別情報を送信するよう回路により実行される識別コンポーネントを有してもよい。当該装置はまた、第１無線装置がマネージメントオーソリティとサービス合意を有し、またサービス合意に割り当てられた所与の識別情報に一致する第１無線装置の識別情報を認証したことに基づき、ルーティングテーブルを受信するルートコンポーネントを有してもよい。
【０１６１】
具体例５６．具体例４８の装置はまた、マネージメントオーソリティにより提供されるサービスに対するサービスリクエストを送信し、遠隔測定コンポーネントによりマネージメントオーソリティに送信される遠隔測定データの少なくとも一部に基づきサービスリクエストに対するレスポンスを受信するよう回路により実行されるリクエストコンポーネントを有してもよい。
【０１６２】
具体例５７．具体例５６の装置であって、遠隔測定データは、第１無線装置の物理的位置を有し、マネージメントオーソリティにより提供されるサービスは、第１無線装置のバッテリを充電するための充電位置、第１無線装置が所与の物理的位置に到達するため移動する表面ルート、又は第１無線装置の位置の最も近くにある駐車場の物理的位置の特定を含むものであってもよい。
【０１６３】
具体例５８．具体例４８の装置であって、遠隔測定コンポーネントは、ネゴシエートされたセッションパラメータに基づき更新された遠隔測定データをマネージメントオーソリティに送信可能であってもよい。本例について、ルートコンポーネントは、更新された遠隔測定データに少なくとも部分的に基づき、マネージメントオーソリティから更新されたルーティングテーブルを受信してもよい。
【０１６４】
具体例５９．具体例４８の装置であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１６５】
具体例６０．一例となる方法は、第１無線装置の回路において、第２無線装置との第１アドホックＷＬＡＮ接続を確立し、第２アドホックＷＬＡＮ接続を介し第２無線装置に接続される第３無線装置を少なくとも有するメッシュネットワークに接続するステップを有してもよい。当該方法はまた、第１無線装置、第２無線装置又は第３無線装置の少なくとも１つを介しメッシュネットワークに接続されるＳＤＮのマネージメントオーソリティに遠隔測定データを通信するためのアドレス情報を受信するステップを有してもよい。当該方法はまた、ネゴシエートされたセッションパラメータに基づきマネージメントオーソリティに遠隔測定データを送信するステップを有してもよい。当該方法はまた、遠隔測定データに少なくとも部分的に基づきマネージメントオーソリティにより生成されるルーティングテーブルを受信するステップを有してもよい。本例について、ルーティングテーブルは、メッシュネットワーク内でデータをルーティングするか、又は第１、第２又は第３無線装置を介しメッシュネットワークに接続される第１ネットワークにデータをルーティングするため第１無線装置により利用されてもよい。
【０１６６】
具体例６１．具体例６０の方法であって、ネゴシエートされたセッションパラメータは、遠隔測定データを送信する頻度及び遠隔測定データのコンテンツを含むものであってもよい。
【０１６７】
具体例６２．具体例６１の方法であって、遠隔測定データのコンテンツは、第１無線装置の物理的位置、第１無線装置が第１ネットワーク又はＳＤＮに接続しているかの通知、第１無線装置の移動情報のレート及び方向、第１無線装置の電源若しくはバッテリ情報、メッシュネットワークの内部若しくは外部にデータをルーティングするため無線装置のそれぞれにより利用される処理ワークロード、又はメッシュネットワークの内部若しくは外部にデータをルーティングするため第１無線装置のＱｏＳ保証の少なくとも１つを含むものであってもよい。
【０１６８】
具体例６３．具体例６０の方法であって、第２無線装置は、ＳＤＮに接続されてもよい。本例について、遠隔測定データを送信するステップは、遠隔測定データを第２無線装置に転送することを含み、第２無線装置は、第１無線装置からの遠隔測定データをマネージメントオーソリティに転送可能であってもよい。
【０１６９】
具体例６４．具体例６０の方法であって、第１アドホックＷＬＡＮ接続を確立するステップは、第２又は第３無線装置との可能性のあるアドホック接続を特定するためメッシュネットワークをスキャンし、第２無線装置、第３無線装置又はメッシュネットワークを認証し、当該認証に基づき第２無線装置との第１アドホックＷＬＡＮ接続を確立することを含むものであってもよい。
【０１７０】
具体例６５．具体例６０の方法であって、第１アドホックＷＬＡＮ接続の確立後、第１無線装置から送信されるリクエストメッセージに応答して、マネージメントオーソリティに遠隔測定データを通信するためのアドレス情報が、第２無線装置又は第３無線装置から受信されてもよい。
【０１７１】
具体例６６．具体例６０の方法はまた、マネージメントオーソリティから発信される時間同期情報に基づき第２無線装置又は第３無線装置の少なくとも１つと時間を同期させるステップを有してもよい。本例について、同期した時間は、メッシュネットワーク内でデータをルーティングするため、ＱｏＳ保証を充足させるため第１無線装置により利用されてもよい。
【０１７２】
具体例６７．具体例６０の方法はまた、第１無線装置がマネージメントオーソリティとサービス合意を有するか判断するため、マネージメントオーソリティから検証リクエストを受信するステップを有してもよい。当該方法はまた、検証リクエストに応答して、識別情報を送信するステップを有してもよい。当該方法はまた、第１無線装置がマネージメントオーソリティとサービス合意を有し、またサービス合意に割り当てられた所与の識別情報に一致する第１無線装置の識別情報を認証したことに基づき、ルーティングテーブルを受信するステップを有してもよい。
【０１７３】
具体例６８．具体例６０の方法はまた、マネージメントオーソリティにより提供されるサービスに対するサービスリクエストを送信し、第１無線装置によりマネージメントオーソリティに送信される遠隔測定データの少なくとも一部に基づきサービスリクエストに対するレスポンスを受信するステップを有してもよい。
【０１７４】
具体例６９．具体例６８の方法であって、遠隔測定データは、第１無線装置の物理的位置を有し、マネージメントオーソリティにより提供されるサービスは、第１無線装置のバッテリを充電するための充電位置、第１無線装置が所与の物理的位置に到達するため移動する表面ルート、又は第１無線装置の位置の最も近くにある駐車場の物理的位置の特定を含むものであってもよい。
【０１７５】
具体例７０．具体例６０の方法はまた、ネゴシエートされたセッションパラメータに基づき更新された遠隔測定データをマネージメントオーソリティに送信し、更新された遠隔測定データに少なくとも部分的に基づき、マネージメントオーソリティから更新されたルーティングテーブルを受信するステップを有してもよい。
【０１７６】
具体例７１．具体例６０の方法であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１７７】
具体例７２．少なくとも１つのマシーン可読媒体は、無線装置におけるシステム上で実行されることに応答して、システムに具体例６０〜７１の何れか１つによる方法を実行させる複数の命令を有する。
【０１７８】
具体例７４．装置は、具体例６０〜７１の何れか１つの方法を実行する手段を有する。
【０１７９】
具体例７３．少なくとも１つのマシーン可読媒体は、第１無線装置におけるシステムにより実行されることに応答して、システムに第２無線装置との第１アドホックＷＬＡＮ接続を確立させ、第２アドホックＷＬＡＮ接続を介し第２無線装置に接続される第３無線装置を少なくとも有するメッシュネットワークに接続させる複数の命令を有してもよい。当該命令はまた、第２無線装置又は第３無線装置の少なくとも１つを介しメッシュネットワークに接続されるソフトウェアにより定義されるネットワーク（ＳＤＮ）のマネージメントオーソリティに遠隔測定データを通信するためのアドレス情報をシステムに受信させてもよい。当該命令はまた、ネゴシエートされたセッションパラメータに基づきマネージメントオーソリティに遠隔測定データをシステムに送信させてもよい。当該命令はまた、遠隔測定データに少なくとも部分的に基づきマネージメントオーソリティにより生成されるルーティングテーブルをシステムに受信させてもよい。ルーティングテーブルは、メッシュネットワーク内でデータをルーティングするか、又は第１、第２又は第３無線装置を介しメッシュネットワークに接続される第１ネットワークにデータをルーティングするため第１無線装置により利用されてもよい。
【０１８０】
具体例７５．具体例７４の少なくとも１つのマシーン可読媒体であって、ネゴシエートされたセッションパラメータは、遠隔測定データを送信する頻度及び遠隔測定データのコンテンツを含むものであってもよい。
【０１８１】
具体例７６．具体例７５の少なくとも１つのマシーン可読媒体であって、遠隔測定データのコンテンツは、第１無線装置の物理的位置、第１無線装置が第１ネットワーク又はＳＤＮに接続しているかの通知、第１無線装置の移動情報のレート及び方向、第１無線装置の電源若しくはバッテリ情報、メッシュネットワークの内部若しくは外部にデータをルーティングするため無線装置のそれぞれにより利用される処理ワークロード、又はメッシュネットワークの内部若しくは外部にデータをルーティングするため第１無線装置のＱｏＳ保証の少なくとも１つを含むものであってもよい。
【０１８２】
具体例７７．具体例７４の少なくとも１つのマシーン可読媒体であって、第２無線装置は、ＳＤＮに接続されてもよい。本例について、遠隔測定データを送信するステップは、遠隔測定データを第２無線装置に転送することを含み、第２無線装置は、第１無線装置からの遠隔測定データをマネージメントオーソリティに転送可能であってもよい。
【０１８３】
具体例７８．具体例７４の少なくとも１つのマシーン可読媒体であって、第１アドホックＷＬＡＮ接続を確立するステップは、第２又は第３無線装置との可能性のあるアドホック接続を特定するためメッシュネットワークをスキャンし、第２無線装置、第３無線装置又はメッシュネットワークを認証し、当該認証に基づき第２無線装置との第１アドホックＷＬＡＮ接続を確立することを含むものであってもよい。
【０１８４】
具体例７９．具体例７４の少なくとも１つのマシーン可読媒体であって、第１アドホックＷＬＡＮ接続の確立後、第１無線装置から送信されるリクエストメッセージに応答して、マネージメントオーソリティに遠隔測定データを通信するためのアドレス情報が、第２無線装置又は第３無線装置から受信されてもよい。
【０１８５】
具体例８０．具体例７４の少なくとも１つのマシーン可読媒体であって、当該命令はまた、マネージメントオーソリティから発信される時間同期情報に基づき第２無線装置又は第３無線装置の少なくとも１つと時間をシステムに同期させてもよい。同期した時間は、メッシュネットワーク内でデータをルーティングするため、ＱｏＳ保証を充足させるため第１無線装置により利用されてもよい。
【０１８６】
具体例８１．具体例７４の少なくとも１つのマシーン可読媒体であって、当該命令はまた、第１無線装置がマネージメントオーソリティとサービス合意を有するか判断するため、マネージメントオーソリティから検証リクエストをシステムに受信させてもよい。当該命令はまた、検証リクエストに応答して、識別情報をシステムに送信させてもよい。当該命令はまた、第１無線装置がマネージメントオーソリティとサービス合意を有し、またサービス合意に割り当てられた所与の識別情報に一致する第１無線装置の識別情報を認証したことに基づき、ルーティングテーブルをシステムに受信させてもよい。
【０１８７】
具体例８２．具体例７４の少なくとも１つのマシーン可読媒体であって、当該命令はまた、システムにマネージメントオーソリティにより提供されるサービスに対するサービスリクエストを送信させ、第１無線装置によりマネージメントオーソリティに送信される遠隔測定データの少なくとも一部に基づきサービスリクエストに対するレスポンスを受信させてもよい。
【０１８８】
具体例８３．具体例８２の少なくとも１つのマシーン可読媒体であって、遠隔測定データは、第１無線装置の物理的位置を有し、マネージメントオーソリティにより提供されるサービスは、第１無線装置のバッテリを充電するための充電位置、第１無線装置が所与の物理的位置に到達するため移動する表面ルート、又は第１無線装置の位置の最も近くにある駐車場の物理的位置の特定を含むものであってもよい。
【０１８９】
具体例８４．具体例７４の少なくとも１つのマシーン可読媒体はまた、システムにネゴシエートされたセッションパラメータに基づき更新された遠隔測定データをマネージメントオーソリティに送信させ、更新された遠隔測定データに少なくとも部分的に基づき、マネージメントオーソリティから更新されたルーティングテーブルを受信させてもよい。
【０１９０】
具体例８５．具体例７４の少なくとも１つのマシーン可読媒体であって、アドホックＷＬＡＮ接続は、ＩＥＥＥ８０２．１１−２０１２を含むＩＥＥＥ８０２．１１規格に関連する１以上の無線通信規格に従って動作するよう構成されてもよい。
【０１９１】
具体例８６．第１無線装置のための一例となる装置は、第１無線装置の回路において、第２無線装置との第１アドホックＷＬＡＮ接続を確立し、第２アドホックＷＬＡＮ接続を介し第２無線装置に接続される第３無線装置を少なくとも有するメッシュネットワークに接続する手段を有してもよい。当該装置はまた、第１無線装置、第２無線装置又は第３無線装置の少なくとも１つを介しメッシュネットワークに接続されるＳＤＮのマネージメントオーソリティに遠隔測定データを通信するためのアドレス情報を受信する手段を有してもよい。当該装置はまた、ネゴシエートされたセッションパラメータに基づきマネージメントオーソリティに遠隔測定データを送信する手段を有してもよい。当該装置はまた、遠隔測定データに少なくとも部分的に基づきマネージメントオーソリティにより生成されるルーティングテーブルを受信する手段を有してもよい。ルーティングテーブルは、遠隔測定データに少なくとも部分的に基づき、メッシュネットワーク内でデータをルーティングするか、又は第１、第２又は第３無線装置を介しメッシュネットワークに接続される第１ネットワークにデータをルーティングするため第１無線装置により利用されてもよい。
【０１９２】
具体例８７．具体例８６の装置であって、ネゴシエートされたセッションパラメータは、遠隔測定データを送信する頻度及び遠隔測定データのコンテンツを含むものであってもよい。
【０１９３】
具体例８８．具体例８７の装置であって、遠隔測定データのコンテンツは、第１無線装置の物理的位置、第１無線装置が第１ネットワーク又はＳＤＮに接続しているかの通知、第１無線装置の移動情報のレート及び方向、第１無線装置の電源若しくはバッテリ情報、メッシュネットワークの内部若しくは外部にデータをルーティングするため無線装置のそれぞれにより利用される処理ワークロード、又はメッシュネットワークの内部若しくは外部にデータをルーティングするため第１無線装置のＱｏＳ保証の少なくとも１つを含むものであってもよい。
【０１９４】
開示の概要は、読者が技術開示の性質を迅速に確認することを可能にする概要を要求する３７Ｃ．Ｆ．Ｒ．Ｓｅｃｔｉｏｎ  １．７２（ｂ）に従うため提供されていることが強調される。それは、請求項の範囲又は意味を解釈又は限定するのに利用されないという理解により提出されている。さらに、上記の詳細な説明では、各種機能は開示を省略するため単一の具体例に一緒にグループ化されていることが理解できる。開示の本方法は、請求された具体例が各請求項に明示的に記載されるものより多くの機能を要求するという意図を反映するものとして解釈されるべきでない。むしろ、以下の請求項が反映するように、本発明の主題は、開示された単一の具体例の全ての機能未満にある。従って、以下の請求項は、各請求項が別の具体例として自ら成り立つことによって、詳細な説明に援用される。添付した請求項において、“含む”及び“ここで”という用語はそれぞれ、“有する”及び“ここで”という用語の平易な英語の均等として用いられる。さらに、“第１”、“第２”、“第３”などは、単なるラベルとして用いられ、それらの対象に対して数値的な要求を課すことを意図していない。
【０１９５】
主題は構成的特徴及び／又は方法ステップに特有の言語により説明されたが、添付した請求項に規定される主題は必ずしも上述した特定の特徴又はステップに限定されるものでないことが理解されるべきである。むしろ、上述した特定の特徴及びステップは、請求項を実現する一例となる形態として開示される。
【図１】
0006042485.tif 000002
【図２】
0006042485.tif 000003
【図３】
0006042485.tif 000004
【図４】
0006042485.tif 000005
【図５】
0006042485.tif 000006
【図６】
0006042485.tif 000007
【図７】
0006042485.tif 000008
【図８】
0006042485.tif 000009
【図９】
0006042485.tif 000010
【図１０】
0006042485.tif 000011
【図１１】
0006042485.tif 000012
【図１２】
0006042485.tif 000013
【図１３】
0006042485.tif 000014